(57)【要約】  本願の実施例はデータ伝送方法、端末装置及びネットワーク装置を開示し、該方法は、端末装置が第１のプロトコルデータユニット（ＰＤＵ）セッションにおいてＮ個のデータフローのセッション確立を要求するための第１要求メッセージをネットワーク装置に送信することと、該端末装置が該ネットワーク装置から送信された、該ネットワーク装置が該第１のＰＤＵセッションにおいて該Ｎ個のデータフローのうちのＭ個のデータフローのセッション確立を行うことを拒絶したことを示すための該第１要求メッセージの応答メッセージを受信することであって、ＮとＭがいずれも正の整数であり、ＮがＭ以上であることと、を含む。本願の実施例の方法、端末装置及びネットワーク装置は通信システムの性能の向上に役立つ。
2021502731.tif 000002
【特許請求の範囲】
【請求項１】
データ伝送方法であって、
端末装置が第１のプロトコルデータユニット（ＰＤＵ）セッションにおいてＮ個のデータフローのセッション確立を要求するための第１要求メッセージをネットワーク装置に送信することと、
前記端末装置は前記ネットワーク装置から送信された、前記ネットワーク装置が前記第１のＰＤＵセッションにおいて前記Ｎ個のデータフローのうちのＭ個のデータフローのセッション確立を行うことを拒絶したことを示すための前記第１要求メッセージの応答メッセージを受信することであって、ＮとＭがいずれも正の整数であり、ＮがＭ以上であることと、を含むことを特徴とする、前記データ伝送方法。
【請求項２】
前記応答メッセージには前記第１のＰＤＵセッションが前記Ｍ個のデータフローをサポートしないことを示すための拒絶理由値が含まれることを特徴とする
請求項１に記載のデータ伝送方法。
【請求項３】
前記応答メッセージには前記Ｍ個のデータフローのうちの各データフローの識別子が含まれることを特徴とする
請求項１又は２に記載のデータ伝送方法。
【請求項４】
前記データ伝送方法は、更に、
前記端末装置が前記応答メッセージに応答して、第２のＰＤＵセッションにおいて前記Ｍ個のデータフローのうちの少なくとも１つのデータフローのセッション確立を要求するための第２要求メッセージを前記ネットワーク装置に送信することを含むことを特徴とする
請求項１〜３のいずれか１項に記載のデータ伝送方法。
【請求項５】
前記第１要求メッセージに前記第１のＰＤＵセッションの識別子が含まれ、前記第２要求メッセージに前記第２のＰＤＵセッションの識別子が含まれ、前記第２のＰＤＵセッションは、前記第１のＰＤＵセッションの識別子を調整した後の前記第１のＰＤＵセッションであることを特徴とする
請求項４に記載のデータ伝送方法。
【請求項６】
前記端末装置が前記応答メッセージに応答する前に、前記データ伝送方法は、更に、
前記端末装置が前記Ｍ個のデータフローに基づき、前記第１のＰＤＵセッションではない前記第２のＰＤＵセッションの確立パラメータを調整することを含むことを特徴とする
請求項４に記載のデータ伝送方法。
【請求項７】
前記応答メッセージに前記第２のＰＤＵセッションの識別子が含まれることを特徴とする
請求項６に記載のデータ伝送方法。
【請求項８】
前記ネットワーク装置がセッション管理機能（ＳＭＦ）装置であることを特徴とする
請求項１〜７のいずれか１項に記載のデータ伝送方法。
【請求項９】
データ伝送方法であって、
ネットワーク装置が端末装置から送信された、第１のプロトコルデータユニット（ＰＤＵ）セッションにおいてＮ個のデータフローのセッション確立を要求するための第１要求メッセージを受信することと、
前記ネットワーク装置が、前記ネットワーク装置が前記第１のＰＤＵセッションにおいて前記Ｎ個のデータフローのうちのＭ個のデータフローのセッション確立を行うことを拒絶したことを示すための前記第１要求メッセージの応答メッセージを前記端末装置に送信することであって、ＮとＭがいずれも正の整数であり、ＮがＭ以上であることと、を含むことを特徴とする、前記データ伝送方法。
【請求項１０】
前記応答メッセージには前記第１のＰＤＵセッションが前記Ｍ個のデータフローをサポートしないことを示すための拒絶理由値が含まれることを特徴とする
請求項９に記載のデータ伝送方法。
【請求項１１】
前記応答メッセージには前記Ｍ個のデータフローのうちの各データフローの識別子が含まれることを特徴とする
請求項９又は１０に記載のデータ伝送方法。
【請求項１２】
前記データ伝送方法は、更に、
前記ネットワーク装置が前記端末装置から送信された、第２のＰＤＵセッションにおいて前記Ｍ個のデータフローのうちの少なくとも１つのデータフローのセッション確立を要求するための第２要求メッセージを受信することを含むことを特徴とする
請求項９〜１１のいずれか１項に記載のデータ伝送方法。
【請求項１３】
前記応答メッセージには前記ネットワーク装置が提案した、前記第１のＰＤＵセッションではない前記第２のＰＤＵセッションの識別子が含まれることを特徴とする
請求項９〜１２のいずれか１項に記載のデータ伝送方法。
【請求項１４】
前記ネットワーク装置がセッション管理機能（ＳＭＦ）装置であり、前記データ伝送方法は、更に、
前記ＳＭＦ装置が前記第１要求メッセージに基づき、アクセスネットワーク装置が前記第１のＰＤＵセッションにおいて前記Ｎ個のデータフローのセッション確立を行うようにトリガーすることと、
前記ＳＭＦ装置が前記アクセスネットワーク装置から送信された前記第１のＰＤＵセッションに対応するデータフローリストを受信することであって、前記データフローリストが前記Ｍ個のデータフロー又は前記第１のＰＤＵセッションにより受信した前記Ｎ個のデータフローのうちの（Ｎ−Ｍ）個のデータフローを含むことと、を含むことを特徴とする
請求項９〜１３のいずれか１項に記載のデータ伝送方法。
【請求項１５】
データ伝送方法であって、
端末装置がユーザー装置ルート選択ポリシー（ＵＲＳＰ）における少なくとも１つのルールのうちの各ルールの識別子に基づき、それぞれ前記少なくとも１つのルールを取得することと、
前記端末装置が前記少なくとも１つのルールに基づき、それぞれネットワーク装置への前記少なくとも１つのルールに１対１に対応する少なくとも１つのプロトコルデータユニット（ＰＤＵ）セッションの確立又は修正を開始することと、を含むことを特徴とする、前記データ伝送方法。
【請求項１６】
前記少なくとも１つのルールが複数のルールであり、前記端末装置が前記複数のルールに基づき、それぞれネットワーク装置への前記複数のルールに１対１に対応する複数のプロトコルデータユニット（ＰＤＵ）セッションの確立又は修正を開始することは、
前記端末装置が前記複数のルールの優先度に基づき、順に前記ネットワーク装置への前記複数のＰＤＵセッションの確立又は修正を開始することを含むことを特徴とする
請求項１５に記載のデータ伝送方法。
【請求項１７】
前記少なくとも１つのルールのうちの第１ルールは無線アクセス技術（ＲＡＴ）、セッション及びサービス継続性モード、単一のネットワークスライス選択補助情報（Ｓ−ＮＳＳＡＩ）、分散タイプ、データネットワーク名（ＤＮＮ）並びにデータフローフィルタのうちの少なくとも１つを含むことを特徴とする
請求項１５又は１６に記載のデータ伝送方法。
【請求項１８】
前記少なくとも１つのパラメータのうちの第１パラメータは優先度を特徴づける複数の値を含み、前記端末装置が前記第１ルールに基づき、ネットワーク装置への第１のプロトコルデータユニット（ＰＤＵ）セッションの確立又は修正を開始することは、
前記端末装置が前記複数の値の優先度に基づき、前記ネットワーク装置への第１のＰＤＵセッションの確立又は修正を開始することを含むことを特徴とする
請求項１７に記載のデータ伝送方法。
【請求項１９】
前記端末装置が前記少なくとも１つのルールのうちの第１ルールに基づき、ネットワーク装置への第１のプロトコルデータユニット（ＰＤＵ）セッションの確立又は修正を開始することは、
前記端末装置が前記第１ルールに基づき、前記ネットワーク装置が前記第１のＰＤＵセッションにおいてＮ個のデータフローのセッション確立を行うように要求するための第１要求メッセージを前記ネットワーク装置に送信することを含み、
前記端末装置が前記第１ルールに基づき、前記ネットワーク装置への第１のＰＤＵセッションの確立又は修正を開始した後、前記データ伝送方法は、更に、
前記端末装置が前記ネットワーク装置から送信された、前記ネットワーク装置が前記第１のＰＤＵセッションにおいて前記Ｎ個のデータフローのうちのＭ個のデータフローのセッション確立を行うことを拒絶したことを示すための前記第１要求メッセージの応答メッセージを受信することであって、ＮとＭがいずれも正の整数であり、ＮがＭ以上であることを含むことを特徴とする
請求項１５〜１８のいずれか１項に記載のデータ伝送方法。
【請求項２０】
前記応答メッセージには、ＰＤＵセッションがサポートされない、ＲＡＴアクセスが許可されない、セッション又はサービス継続性モードが満足されない、Ｓ−ＮＳＳＡＩがエラーになる、ＤＮＮがサポートされない及びＰＤＵセッション識別子が識別されない状況のうちの少なくとも１つを示すための拒絶理由値が含まれることを特徴とする
請求項１９に記載のデータ伝送方法。
【請求項２１】
前記データ伝送方法は、更に、
前記端末装置が前記応答メッセージに応答して、前記拒絶理由値に対応する前記第１ルールにおけるパラメータの値を調整することと、
前記端末装置が調整後の前記第１ルールに基づき、前記ネットワーク装置が第１のＰＤＵセッションにおいて前記Ｍ個のデータフローのうちの少なくとも１つのデータフローのセッション確立を行うように要求するための第２要求メッセージを前記ネットワーク装置に送信することと、を含むことを特徴とする
請求項２０に記載のデータ伝送方法。
【請求項２２】
前記拒絶理由値に対応する前記第１ルールのパラメータは優先度を特徴づける複数の値を含み、前記端末装置が前記応答メッセージに応答して、前記拒絶理由値に対応する前記第１ルールのパラメータの値を調整することは、
前記端末装置が前記応答メッセージに応答して、前記拒絶理由値に対応する前記第１のＵＲＳＰのパラメータの値を優先度の前回第１のＰＤＵセッション確立を開始したものより高い値に調整することを含むことを特徴とする
請求項２１に記載のデータ伝送方法。
【請求項２３】
前記応答メッセージには前記ネットワーク装置によって提案される前記拒絶理由値に対応する前記第１ルールのパラメータの値が含まれ、前記端末装置が前記応答メッセージに応答して、前記拒絶理由値に対応する前記第１のＵＲＳＰのパラメータの値を調整することは、
前記端末装置が前記拒絶理由値に対応する前記第１ルールのパラメータの値を前記ネットワーク装置によって提案される前記拒絶理由値に対応する前記第１ルールのパラメータの値に調整することを含むことを特徴とする
請求項２１に記載のデータ伝送方法。
【請求項２４】
前記データ伝送方法は、更に、
前記端末装置が前記ネットワーク装置から送信された前記ＵＲＳＰにおける前記少なくとも１つのルールのうちの第１ルール以外の第２ルール及び前記第１ルールの識別子を受信することを含み、
前記端末装置が第１ルールの識別子に基づき、前記第１ルールを取得することは、
前記端末装置が前記第２ルールに対応する第２のＰＤＵセッションを確立した後、前記第１ルールの識別子に基づき、ユーザープレーンによって前記第１ルールを取得すること、又は
前記端末装置が前記第１ルールの識別子に基づき、前記ネットワーク装置がコントロールプレーンによって前記第１ルールを送信するようにトリガーすることを含むことを特徴とする
請求項１５〜２３のいずれか１項に記載のデータ伝送方法。
【請求項２５】
前記データ伝送方法は、更に、
前記端末装置がサーバの識別子を受信することを含み、
前記端末装置が前記第２ルールに対応する第２のＰＤＵセッションを確立した後、前記第１ルールの識別子に基づき、ユーザープレーンによって前記第１ルールを取得することは、
前記端末装置が前記第２ルールに対応する第２のＰＤＵセッションを確立した後、前記第１ルールの識別子及び前記サーバの識別子に基づき、ユーザープレーンによって前記第１ルールを取得することを含むことを特徴とする
請求項２４に記載のデータ伝送方法。
【請求項２６】
前記第２ルールの優先度が前記第１ルールの優先度より高いことを特徴とする
請求項２４又は２５に記載のデータ伝送方法。
【請求項２７】
前記端末装置がユーザー装置ルート選択ポリシー（ＵＲＳＰ）における少なくとも１つのルールのうちの各ルールの識別子に基づき、それぞれ前記少なくとも１つのルールを取得することは、
前記端末装置がネットワーク登録を実行するプロセスで、前記端末装置が前記少なくとも１つのルールのうちの各ルールの識別子に基づき、前記少なくとも１つのルールを取得することを含むことを特徴とする
請求項１５〜２６のいずれか１項に記載のデータ伝送方法。
【請求項２８】
データ伝送方法であって、
端末装置がネットワーク登録を実行するプロセスで、ネットワーク装置が複数のメッセージによって前記端末装置へユーザー装置ルート選択ポリシー（ＵＲＳＰ）における複数のルールを送信することを含むことを特徴とする、前記データ伝送方法。
【請求項２９】
前記端末装置がネットワーク登録を実行するプロセスで、ネットワーク装置が複数のメッセージによって前記端末装置へユーザー装置ルート選択ポリシー（ＵＲＳＰ）における複数のルールを送信することは、
前記端末装置がネットワーク登録を実行するプロセスで、前記ネットワーク装置が前記複数のルールの優先度に基づき、順にコントロールプレーンの複数のメッセージによって前記端末装置へ前記複数のルールを送信することを含むことを特徴とする
請求項２８に記載のデータ伝送方法。
【請求項３０】
前記ネットワーク装置がポリシー制御機能（ＰＣＦ）装置であることを特徴とする
請求項２８又は２９に記載のデータ伝送方法。
【請求項３１】
データ伝送方法であって、
端末装置が第２ルールに対応する第２のＰＤＵセッションを確立した後、第１ルールの識別子に基づき、ユーザープレーンによって前記第１ルールを取得するように、前記端末装置がネットワーク登録を実行するプロセスで、ネットワーク装置が前記端末装置へユーザー装置ルート選択ポリシー（ＵＲＳＰ）における第１ルール以外の第２ルール及び前記第１ルールの識別子を送信することを含むことを特徴とする、前記データ伝送方法。
【請求項３２】
前記データ伝送方法は、更に、
前記端末装置が前記第２ルールに対応する第２のＰＤＵセッションを確立した後、前記第１ルールの識別子及びサーバの識別子に基づき、ユーザープレーンによって前記第１ルールを取得するように、前記ネットワーク装置が前記端末装置へサーバの識別子を送信することを含むことを特徴とする
請求項３１に記載のデータ伝送方法。
【請求項３３】
前記ネットワーク装置がポリシー制御機能（ＰＣＦ）装置であることを特徴とする
請求項３１又は３２に記載のデータ伝送方法。
【請求項３４】
端末装置であって、
第１のプロトコルデータユニット（ＰＤＵ）セッションにおいてＮ個のデータフローのセッション確立を要求するための第１要求メッセージをネットワーク装置に送信するように構成される送信ユニットと、
前記ネットワーク装置から送信された、前記ネットワーク装置が前記第１のＰＤＵセッションにおいて前記Ｎ個のデータフローのうちのＭ個のデータフローのセッション確立を行うことを拒絶したことを示すための前記第１要求メッセージの応答メッセージを受信するように構成される受信ユニットであって、ＮとＭがいずれも正の整数であって、ＮがＭ以上である受信ユニットと、を備えることを特徴とする、前記端末装置。
【請求項３５】
前記応答メッセージには前記第１のＰＤＵセッションが前記Ｍ個のデータフローをサポートしないことを示すための拒絶理由値が含まれることを特徴とする
請求項３４に記載の端末装置。
【請求項３６】
前記応答メッセージには前記Ｍ個のデータフローのうちの各データフローの識別子が含まれることを特徴とする
請求項３４又は３５に記載の端末装置。
【請求項３７】
前記送信ユニットは、更に、前記応答メッセージに応答して、第２のＰＤＵセッションにおいて前記Ｍ個のデータフローのうちの少なくとも１つのデータフローのセッション確立を要求するための第２要求メッセージを前記ネットワーク装置に送信することに用いられることを特徴とする
請求項３４〜３６のいずれか１項に記載の端末装置。
【請求項３８】
前記第１要求メッセージに前記第１のＰＤＵセッションの識別子が含まれ、前記第２要求メッセージに前記第２のＰＤＵセッションの識別子が含まれ、前記第２のＰＤＵセッションが前記第１のＰＤＵセッションの識別子を調整した後の前記第１のＰＤＵセッションであることを特徴とする
請求項３７に記載の端末装置。
【請求項３９】
前記端末装置は、更に、
前記Ｍ個のデータフローに基づき、前記第１のＰＤＵセッションではない前記第２のＰＤＵセッションの確立パラメータを調整するように構成される処理ユニットを備えることを特徴とする
請求項３７に記載の端末装置。
【請求項４０】
前記応答メッセージに前記第２のＰＤＵセッションの識別子が含まれることを特徴とする
請求項３９に記載の端末装置。
【請求項４１】
前記ネットワーク装置がセッション管理機能（ＳＭＦ）装置であることを特徴とする
請求項３４〜４０のいずれか１項に記載の端末装置。
【請求項４２】
ネットワーク装置であって、
端末装置から送信された、第１のプロトコルデータユニット（ＰＤＵ）セッションにおいてＮ個のデータフローのセッション確立を要求するための第１要求メッセージを受信するように構成される受信ユニットと、
前記ネットワーク装置が前記第１のＰＤＵセッションにおいて前記Ｎ個のデータフローのうちのＭ個のデータフローのセッション確立を行うことを拒絶したことを示すための前記第１要求メッセージの応答メッセージを前記端末装置に送信するように構成される送信ユニットであって、ＮとＭがいずれも正の整数であり、ＮがＭ以上である送信ユニットと、を備えることを特徴とする、前記ネットワーク装置。
【請求項４３】
前記応答メッセージには前記第１のＰＤＵセッションが前記Ｍ個のデータフローをサポートしないことを示すための拒絶理由値が含まれることを特徴とする
請求項４２に記載のネットワーク装置。
【請求項４４】
前記応答メッセージには前記Ｍ個のデータフローのうちの各データフローの識別子が含まれることを特徴とする
請求項４２又は４３に記載のネットワーク装置。
【請求項４５】
前記受信ユニットは、更に、前記端末装置から送信された、第２のＰＤＵセッションにおいて前記Ｍ個のデータフローのうちの少なくとも１つのデータフローのセッション確立を要求するための第２要求メッセージを受信することに用いられることを特徴とする
請求項４２〜４４のいずれか１項に記載のネットワーク装置。
【請求項４６】
前記応答メッセージには前記ネットワーク装置が提案した、前記第１のＰＤＵセッションではない前記第２のＰＤＵセッションの識別子が含まれることを特徴とする
請求項４２〜４５のいずれか１項に記載のネットワーク装置。
【請求項４７】
前記ネットワーク装置がセッション管理機能（ＳＭＦ）装置であり、前記ネットワーク装置は、更に、
前記第１要求メッセージに基づき、アクセスネットワーク装置が前記第１のＰＤＵセッションにおいて前記Ｎ個のデータフローのセッション確立を行うようにトリガーするように構成される処理ユニットを備え、
前記受信ユニットは、更に、前記アクセスネットワーク装置から送信された前記第１のＰＤＵセッションに対応するデータフローリストを受信するように構成され、前記データフローリストが前記Ｍ個のデータフロー又は前記第１のＰＤＵセッションにより受信した前記Ｎ個のデータフローのうちの（Ｎ−Ｍ）個のデータフローを含むことを特徴とする
請求項４２〜４６のいずれか１項に記載のネットワーク装置。
【請求項４８】
端末装置であって、
ユーザー装置ルート選択ポリシー（ＵＲＳＰ）における少なくとも１つのルールのうちの各ルールの識別子に基づき、それぞれ前記少なくとも１つのルールを取得するように構成される処理ユニットを備え、
前記処理ユニットは、更に、前記少なくとも１つのルールに基づき、それぞれネットワーク装置への前記少なくとも１つのルールに１対１に対応する少なくとも１つのプロトコルデータユニット（ＰＤＵ）セッションの確立又は修正を開始することに用いられることを特徴とする、前記端末装置。
【請求項４９】
前記少なくとも１つのルールが複数のルールであり、前記処理ユニットは、具体的に、
前記複数のルールの優先度に基づき、順に前記ネットワーク装置への前記複数のＰＤＵセッションの確立又は修正を開始することに用いられることを特徴とする
請求項４８に記載の端末装置。
【請求項５０】
前記少なくとも１つのルールのうちの第１ルールは無線アクセス技術（ＲＡＴ）、セッション及びサービス継続性モード、単一のネットワークスライス選択補助情報（Ｓ−ＮＳＳＡＩ）、分散タイプ、データネットワーク名（ＤＮＮ）並びにデータフローフィルタのうちの少なくとも１つを含むことを特徴とする
請求項４８又は４９に記載の端末装置。
【請求項５１】
前記少なくとも１つのパラメータのうちの第１パラメータは優先度を特徴づける複数の値を含み、前記処理ユニットは、具体的に、
前記複数の値の優先度に基づき、前記ネットワーク装置への第１のＰＤＵセッションの確立又は修正を開始することに用いられることを特徴とする
請求項５０に記載の端末装置。
【請求項５２】
前記処理ユニットは、更に、前記第１ルールに基づき、前記ネットワーク装置が前記第１のＰＤＵセッションにおいてＮ個のデータフローのセッション確立を要求するための第１要求メッセージを前記ネットワーク装置に送信することに用いられ、
前記処理ユニットが前記第１ルールに基づき、前記ネットワーク装置への第１のＰＤＵセッションの確立又は修正を開始した後、前記端末装置は、更に、
前記ネットワーク装置から送信された、前記ネットワーク装置が前記第１のＰＤＵセッションにおいて前記Ｎ個のデータフローのうちのＭ個のデータフローのセッション確立を行うことを拒絶したことを示すための前記第１要求メッセージの応答メッセージを受信するように構成され、ＮとＭがいずれも正の整数であって、ＮがＭ以上である受信ユニットを備えることを特徴とする
請求項４８〜５１のいずれか１項に記載の端末装置。
【請求項５３】
前記応答メッセージには、ＰＤＵセッションがサポートされない、ＲＡＴアクセスが許可されない、セッション又はサービス継続性モードが満足されない、Ｓ−ＮＳＳＡＩがエラーになる、ＤＮＮがサポートされない及びＰＤＵセッション識別子が識別されない状況のうちの少なくとも１つを示すための拒絶理由値が含まれることを特徴とする
請求項５２に記載の端末装置。
【請求項５４】
前記端末装置は、更に、送信ユニットを備え、
前記処理ユニットは更に、前記応答メッセージに応答して、前記拒絶理由値に対応する前記第１ルールにおけるパラメータの値を調整するように構成され、
前記送信ユニットは、調整後の前記第１ルールに基づき、前記ネットワーク装置が第１のＰＤＵセッションにおいて前記Ｍ個のデータフローのうちの少なくとも１つのデータフローのセッション確立を行うように要求するための第２要求メッセージを前記ネットワーク装置に送信するように構成されることを特徴とする
請求項５３に記載の端末装置。
【請求項５５】
前記拒絶理由値に対応する前記第１ルールのパラメータは優先度を特徴づける複数の値を含み、前記処理ユニットは、更に、前記応答メッセージに応答して、前記拒絶理由値に対応する前記第１のＵＲＳＰのパラメータの値を優先度の前回第１のＰＤＵセッション確立を開始したものより高い値に調整することに用いられることを特徴とする
請求項５４に記載の端末装置。
【請求項５６】
前記応答メッセージには前記ネットワーク装置によって提案される前記拒絶理由値に対応する前記第１ルールのパラメータの値が含まれ、前記処理ユニットが前記応答メッセージに応答して、前記拒絶理由値に対応する前記第１のＵＲＳＰのパラメータの値を調整することは、
前記処理ユニットが前記拒絶理由値に対応する前記第１ルールのパラメータの値を前記ネットワーク装置によって提案される前記拒絶理由値に対応する前記第１ルールのパラメータの値に調整することを含むことを特徴とする
請求項５４に記載の端末装置。
【請求項５７】
前記端末装置は、更に、
前記ネットワーク装置から送信された前記ＵＲＳＰにおける前記少なくとも１つのルールのうちの第１ルール以外の第２ルール及び前記第１ルールの識別子を受信するように構成される受信ユニットを備え、
前記処理ユニットが第１ルールの識別子に基づき、前記第１ルールを取得することは、
前記処理ユニットが前記第２ルールに対応する第２のＰＤＵセッションを確立した後、前記第１ルールの識別子に基づき、ユーザープレーンによって前記第１ルールを取得すること、又は
前記処理ユニットが前記第１ルールの識別子に基づき、前記ネットワーク装置がコントロールプレーンによって前記第１ルールを送信するようにトリガーすることを含むことを特徴とする
請求項４８〜５６のいずれか１項に記載の端末装置。
【請求項５８】
前記受信ユニットは、更に、サーバの識別子を受信することに用いられ、
前記処理ユニットが前記第２ルールに対応する第２のＰＤＵセッションを確立した後、前記第１ルールの識別子に基づき、ユーザープレーンによって前記第１ルールを取得することは、
前記処理ユニットが前記第２ルールに対応する第２のＰＤＵセッションを確立した後、前記第１ルールの識別子及び前記サーバの識別子に基づき、ユーザープレーンによって前記第１ルールを取得することを含むことを特徴とする
請求項５７に記載の端末装置。
【請求項５９】
前記第２ルールの優先度が前記第１ルールの優先度より高いことを特徴とする
請求項５７又は５８に記載の端末装置。
【請求項６０】
前記処理ユニットがユーザー装置ルート選択ポリシー（ＵＲＳＰ）における少なくとも１つのルールのうちの各ルールの識別子に基づき、それぞれ前記少なくとも１つのルールを取得することは、
前記端末装置がネットワーク登録を実行するプロセスで、前記処理ユニットが前記少なくとも１つのルールのうちの各ルールの識別子に基づき、前記少なくとも１つのルールを取得することを含むことを特徴とする
請求項４８〜５９のいずれか１項に記載の端末装置。
【請求項６１】
ネットワーク装置であって、
端末装置がネットワーク登録を実行するプロセスで、複数のメッセージによって前記端末装置へユーザー装置ルート選択ポリシー（ＵＲＳＰ）における複数のルールを送信するように構成される送信ユニットを備えることを特徴とする、前記ネットワーク装置。
【請求項６２】
前記端末装置がネットワーク登録を実行するプロセスで、前記処理ユニットは、具体的に、
端末装置がネットワーク登録を実行するプロセスで、前記複数のルールの優先度に基づき、順にコントロールプレーンの複数のメッセージによって前記端末装置へ前記複数のルールを送信することに用いられることを特徴とする
請求項６１に記載のネットワーク装置。
【請求項６３】
前記ネットワーク装置がポリシー制御機能（ＰＣＦ）装置であることを特徴とする
請求項６１又は６２に記載のネットワーク装置。
【請求項６４】
ネットワーク装置であって、
端末装置が第２ルールに対応する第２のＰＤＵセッションを確立した後、第１ルールの識別子に基づき、ユーザープレーンによって前記第１ルールを取得するように、端末装置がネットワーク登録を実行するプロセスで、前記端末装置へユーザー装置ルート選択ポリシー（ＵＲＳＰ）における第１ルール以外の第２ルール及び前記第１ルールの識別子を送信するように構成される送信ユニットを備えることを特徴とする、前記ネットワーク装置。
【請求項６５】
前記送信ユニットは、更に、前記端末装置が前記第２ルールに対応する第２のＰＤＵセッションを確立した後、前記第１ルールの識別子及びサーバの識別子に基づき、ユーザープレーンによって前記第１ルールを取得するように、前記端末装置へサーバの識別子を送信することに用いられることを特徴とする
請求項６４に記載のネットワーク装置。
【請求項６６】
前記ネットワーク装置がポリシー制御機能（ＰＣＦ）装置であることを特徴とする
請求項６４又は６５に記載のネットワーク装置。
【発明の詳細な説明】
【技術分野】
【０００１】
本願の実施例は通信分野に関し、且つより具体的に、データ伝送方法、端末装置及びネットワーク装置に関する。
【背景技術】
【０００２】
無線通信ネットワークにおいて、端末装置はプロトコルデータユニット（ＰＤＵ：Ｐｒｏｔｏｃｏｌ  Ｄａｔａ  Ｕｎｉｔ）セッションの確立過程を完了しないと、関連するサービスを行うことができないことになる。従来技術において、端末装置がネットワーク装置へのセッション確立過程を開始した後、端末装置が該セッション確立状況を把握できず、このため、端末装置がセッション確立ポリシーを直ちに調整できず、通信システムの性能に悪影響を与えてしまう。
【発明の概要】
【発明が解決しようとする課題】
【０００３】
これに鑑みて、本願の実施例はデータ伝送方法、端末装置及びネットワーク装置を提供し、通信システムの性能の向上に役立つ。
【課題を解決するための手段】
【０００４】
第１態様に係るデータ伝送方法であって、端末装置が第１のプロトコルデータユニット（ＰＤＵ）セッションにおいてＮ個のデータフローのセッション確立を要求するための第１要求メッセージをネットワーク装置に送信することと、該端末装置は該ネットワーク装置から送信された、該ネットワーク装置が該第１のＰＤＵセッションにおいて該Ｎ個のデータフローのうちのＭ個のデータフローのセッション確立を行うことを拒絶したことを示すための該第１要求メッセージの応答メッセージを受信することであって、ＮとＭがいずれも正の整数であり、ＮがＭ以上であることと、を含む。
【０００５】
ネットワーク装置が端末装置へセッション確立状況をフィードバックすることにより、端末装置はセッション確立ポリシーを直ちに調整することができ、これにより、通信システムの性能の向上に役立つ。
【０００６】
可能な実現方式では、該応答メッセージには該第１のＰＤＵセッションが該Ｍ個のデータフローをサポートしないことを示すための拒絶理由値が含まれる。
【０００７】
応答メッセージに拒絶理由値を含ませることにより、端末装置が応答メッセージに基づいてＰＤＵセッションがサポートされないによるのを把握した場合、端末装置はＰＤＵセッションを適切に調整して、再びネットワーク装置へのセッション確立又は修正を開始することができる。更にＰＤＵセッション確立に成功した可能性を向上させることができる。
【０００８】
可能な実現方式では、該応答メッセージには該Ｍ個のデータフローのうちの各データフローの識別子が含まれる。
【０００９】
可能な実現方式では、該方法は、更に、該端末装置が該応答メッセージに応答して、第２のＰＤＵセッションにおいて該Ｍ個のデータフローのうちの少なくとも１つのデータフローのセッション確立を要求するための第２要求メッセージを該ネットワーク装置に送信することを含む。
【００１０】
可能な実現方式では、該第１要求メッセージに該第１のＰＤＵセッションの識別子が含まれ、該第２要求メッセージに該第２のＰＤＵセッションの識別子が含まれ、該第２のＰＤＵセッションが該第１のＰＤＵセッションの識別子を調整した後の該第１のＰＤＵセッションである。
【００１１】
可能な実現方式では、該端末装置が該応答メッセージに応答する前に、該方法は、更に、該端末装置が該Ｍ個のデータフローに基づき、該第１のＰＤＵセッションではない該第２のＰＤＵセッションの確立パラメータを調整することを含む。
【００１２】
可能な実現方式では、該応答メッセージに該第２のＰＤＵセッションの識別子が含まれる。
【００１３】
可能な実現方式では、該ネットワーク装置がセッション管理機能（ＳＭＦ：Ｓｅｓｓｉｏｎ  Ｍａｎａｇｅｍｅｎｔ  Ｆｕｎｃｔｉｏｎ）装置である。
【００１４】
第２態様に係るデータ伝送方法であって、ネットワーク装置が端末装置から送信された、第１のプロトコルデータユニット（ＰＤＵ）セッションにおいてＮ個のデータフローのセッション確立を要求するための第１要求メッセージを受信することと、該ネットワーク装置は該ネットワーク装置が該第１のＰＤＵセッションにおいて該Ｎ個のデータフローのうちのＭ個のデータフローのセッション確立を行うことを拒絶したことを示すための該第１要求メッセージの応答メッセージを該端末装置に送信することであって、ＮとＭがいずれも正の整数であり、ＮがＭ以上であることと、を含む。
【００１５】
可能な実現方式では、該応答メッセージには該第１のＰＤＵセッションが該Ｍ個のデータフローをサポートしないことを示すための拒絶理由値が含まれる。
【００１６】
可能な実現方式では、該応答メッセージには該Ｍ個のデータフローのうちの各データフローの識別子が含まれる。
【００１７】
可能な実現方式では、該方法は、更に、該ネットワーク装置が該端末装置から送信された、第２のＰＤＵセッションにおいて該Ｍ個のデータフローのうちの少なくとも１つのデータフローのセッション確立を要求するための第２要求メッセージを受信することを含む。
【００１８】
可能な実現方式では、該応答メッセージには該ネットワーク装置の提案する該第１のＰＤＵセッションではない該第２のＰＤＵセッションの識別子が含まれる。
【００１９】
可能な実現方式では、該ネットワーク装置がセッション管理機能（ＳＭＦ）装置であり、該方法は、更に、該ＳＭＦ装置が該第１要求メッセージに基づき、アクセスネットワーク装置が該第１のＰＤＵセッションにおいて該Ｎ個のデータフローのセッション確立を行うようにトリガーすることと、該ＳＭＦ装置が該アクセスネットワーク装置から送信された該第１のＰＤＵセッションに対応するデータフローリストを受信することであって、該データフローリストが該Ｍ個のデータフロー又は該第１のＰＤＵセッションにより受信した該Ｎ個のデータフローのうちの（Ｎ−Ｍ）個のデータフローを含むことと、を含む。
【００２０】
第３態様に係るデータ伝送方法であって、端末装置がユーザー装置ルート選択ポリシー（ＵＲＳＰ）における少なくとも１つのルールのうちの各ルールの識別子に基づき、それぞれ該少なくとも１つのルールを取得することと、該端末装置が該少なくとも１つのルールに基づき、それぞれネットワーク装置への該少なくとも１つのルールに１対１に対応する少なくとも１つのプロトコルデータユニット（ＰＤＵ）セッションの確立又は修正を開始することと、を含む。
【００２１】
ルール識別子を導入することにより、ネットワーク装置がすべてのルールを１回で端末装置に送信することなく、端末装置はルール識別子に基づいてあるルールを取得することができ、ネットワーク装置の負荷を軽減して、通信柔軟性を向上させる。
【００２２】
可能な実現方式では、該少なくとも１つのルールが複数のルールであり、該端末装置が該複数のルールに基づき、それぞれネットワーク装置への該複数のルールに１対１に対応する複数のプロトコルデータユニット（ＰＤＵ）セッションの確立又は修正を開始することは、該端末装置が該複数のルールの優先度に基づき、順に該ネットワーク装置への該複数のＰＤＵセッションの確立又は修正を開始することを含む。
【００２３】
好ましくは、各ルールの識別子によって各ルールの優先度を特徴づけてもよい。
【００２４】
可能な実現方式では、該少なくとも１つのルールのうちの第１ルールは無線アクセス技術（ＲＡＴ：Ｒａｄｉｏ  Ａｃｃｅｓｓ  Ｔｅｃｈｎｏｌｏｇｙ）、セッション及びサービス継続性モード、単一のネットワークスライス選択補助情報（Ｓ−ＮＳＳＡＩ：Ｓｉｎｇｌｅ−Ｎｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎ）、分散タイプ、データネットワーク名（ＤＮＮ：Ｄａｔａ  Ｎｅｔｗｏｒｋ  Ｎａｍｅ）並びにデータフローフィルタのうちの少なくとも１つを含む。
【００２５】
可能な実現方式では、該少なくとも１つのパラメータのうちの第１パラメータは優先度を特徴づける複数の値を含み、該端末装置が該第１ルールに基づき、ネットワーク装置への第１のプロトコルデータユニット（ＰＤＵ）セッションの確立又は修正を開始することは、該端末装置が該複数の値の優先度に基づき、該ネットワーク装置への第１のＰＤＵセッションの確立又は修正を開始することを含む。
【００２６】
可能な実現方式では、該端末装置が該少なくとも１つのルールのうちの第１ルールに基づき、ネットワーク装置への第１のプロトコルデータユニット（ＰＤＵ）セッションの確立又は修正を開始することは、該端末装置が該第１ルールに基づき、該ネットワーク装置が該第１のＰＤＵセッションにおいてＮ個のデータフローのセッション確立を要求するための第１要求メッセージを該ネットワーク装置に送信することを含み、該端末装置が該第１ルールに基づき、該ネットワーク装置への第１のＰＤＵセッションの確立又は修正を開始した後、該方法は、更に、該端末装置が該ネットワーク装置から送信された、該ネットワーク装置が該第１のＰＤＵセッションにおいて該Ｎ個のデータフローのうちのＭ個のデータフローのセッション確立を行うことを拒絶したことを示すための該第１要求メッセージの応答メッセージを受信することであって、ＮとＭがいずれも正の整数であって、ＮがＭ以上であることを含む。
【００２７】
可能な実現方式では、該応答メッセージには、ＰＤＵセッションがサポートされない、ＲＡＴアクセスが許可されない、セッション又はサービス継続性モードが満足されない、Ｓ−ＮＳＳＡＩがエラーになる、ＤＮＮがサポートされない及びＰＤＵセッション識別子が識別されない状況のうちの少なくとも１つを示すための拒絶理由値が含まれる。
【００２８】
可能な実現方式では、該方法は、更に、該端末装置が該応答メッセージに応答して、該拒絶理由値に対応する該第１ルールにおけるパラメータの値を調整することと、該端末装置が調整後の該第１ルールに基づき、該ネットワーク装置が第１のＰＤＵセッションにおいて該Ｍ個のデータフローのうちの少なくとも１つのデータフローのセッション確立を行うように要求するための第２要求メッセージを該ネットワーク装置に送信することと、を含む。
【００２９】
可能な実現方式では、該拒絶理由値に対応する該第１ルールのパラメータは優先度を特徴づける複数の値を含み、該端末装置が該応答メッセージに応答して、該拒絶理由値に対応する該第１ルールのパラメータの値を調整することは、該端末装置が該応答メッセージに応答して、該拒絶理由値に対応する該第１のＵＲＳＰのパラメータの値を優先度の前回第１のＰＤＵセッション確立を開始したものより高い値に調整することを含む。
【００３０】
可能な実現方式では、該応答メッセージには該ネットワーク装置の提案する該拒絶理由値に対応する該第１ルールのパラメータの値が含まれ、該端末装置が該応答メッセージに応答して、該拒絶理由値に対応する該第１のＵＲＳＰのパラメータの値を調整することは、該端末装置が該拒絶理由値に対応する該第１ルールのパラメータの値を該ネットワーク装置の提案する該拒絶理由値に対応する該第１ルールのパラメータの値に調整することを含む。
【００３１】
可能な実現方式では、該方法は、更に、該端末装置が該ネットワーク装置から送信された該ＵＲＳＰにおける該少なくとも１つのルールのうちの第１ルール以外の第２ルール及び該第１ルールの識別子を受信することを含み、該端末装置が第１ルールの識別子に基づき、該第１ルールを取得することは、該端末装置が該第２ルールに対応する第２のＰＤＵセッションを確立した後、該第１ルールの識別子に基づき、ユーザープレーンによって該第１ルールを取得し、又は該端末装置が該第１ルールの識別子に基づき、該ネットワーク装置がコントロールプレーンによって該第１ルールを送信するようにトリガーすることを含む。
【００３２】
可能な実現方式では、該方法は、更に、該端末装置がサーバの識別子を受信することを含み、該端末装置が該第２ルールに対応する第２のＰＤＵセッションを確立した後、該第１ルールの識別子に基づき、ユーザープレーンによって該第１ルールを取得することは、該端末装置が該第２ルールに対応する第２のＰＤＵセッションを確立した後、該第１ルールの識別子及び該サーバの識別子に基づき、ユーザープレーンによって該第１ルールを取得することを含む。
【００３３】
可能な実現方式では、該第２ルールの優先度が該第１ルールの優先度より高い。
【００３４】
可能な実現方式では、端末装置がユーザー装置ルート選択ポリシー（ＵＲＳＰ：Ｒｏｕｔｅ  Ｓｅｌｅｃｔｉｏｎ  Ｐｏｌｉｃｙ）における少なくとも１つのルールのうちの各ルールの識別子に基づき、それぞれ該少なくとも１つのルールを取得することは、該端末装置がネットワーク登録を実行するプロセスで、該端末装置が該少なくとも１つのルールのうちの各ルールの識別子に基づき、該少なくとも１つのルールを取得することを含む。
【００３５】
第４態様に係るデータ伝送方法であって、端末装置がネットワーク登録を実行するプロセスで、ネットワーク装置が複数のメッセージによって該端末装置へユーザー装置ルート選択ポリシー（ＵＲＳＰ）における複数のルールを送信することを含む。
【００３６】
ＵＲＳＰポリシーを複数バッチに分けて取得することにより、ネットワーク負荷を効果的に軽減させ、通信柔軟性を向上させることができる。
【００３７】
可能な実現方式では、該端末装置がネットワーク登録を実行するプロセスで、ネットワーク装置が複数のメッセージによって該端末装置へユーザー装置ルート選択ポリシー（ＵＲＳＰ）における複数のルールを送信することは、端末装置がネットワーク登録を実行するプロセスで、該ネットワーク装置が該複数のルールの優先度に基づき、順にコントロールプレーンの複数のメッセージによって該端末装置へ該複数のルールを送信することを含む。
【００３８】
可能な実現方式では、該ネットワーク装置がポリシー制御機能（ＰＣＦ：Ｐｏｌｉｃｙ  Ｃｏｎｔｒｏｌ  Ｆｕｎｃｔｉｏｎ）装置である。
【００３９】
第５態様に係るデータ伝送方法であって、端末装置が第２ルールに対応する第２のＰＤＵセッションを確立した後、該第１ルールの識別子に基づき、ユーザープレーンによって該第１ルールを取得するように、端末装置がネットワーク登録を実行するプロセスで、ネットワーク装置が該端末装置へユーザー装置ルート選択ポリシー（ＵＲＳＰ）における第１ルール以外の第２ルール及び該第１ルールの識別子を送信することを含む。
【００４０】
ＵＲＳＰポリシーを複数バッチに分けて取得することにより、ネットワーク負荷を効果的に軽減させ、通信柔軟性を向上させることができる。
【００４１】
可能な実現方式では、該方法は、更に、該端末装置が該第２ルールに対応する第２のＰＤＵセッションを確立した後、該第１ルールの識別子及び該サーバの識別子に基づき、ユーザープレーンによって該第１ルールを取得するように、該ネットワーク装置が該端末装置へサーバの識別子を送信することを含む。
【００４２】
可能な実現方式では、該ネットワーク装置がポリシー制御機能（ＰＣＦ）装置である。
【００４３】
第６態様に係る端末装置であって、上記第１態様又は第１態様のいずれか１つの可能な実現方式における方法を実行することに用いられる。具体的に、該端末装置は上記第１態様又は第１態様のいずれか１つの可能な実現方式における方法を実行するためのユニットを備える。
【００４４】
第７態様に係るネットワーク装置であって、上記第２態様又は第２態様のいずれか１つの可能な実現方式における方法を実行することに用いられる。具体的に、該ネットワーク装置は上記第２態様又は第２態様のいずれか１つの可能な実現方式における方法を実行するためのユニットを備える。
【００４５】
第８態様に係る端末装置であって、上記第３態様又は第３態様のいずれか１つの可能な実現方式における方法を実行することに用いられる。具体的に、該端末装置は上記第３態様又は第３態様のいずれか１つの可能な実現方式における方法を実行するためのユニットを備える。
【００４６】
第９態様に係るネットワーク装置であって、上記第４態様又は第４態様のいずれか１つの可能な実現方式における方法を実行することに用いられる。具体的に、該ネットワーク装置は上記第４態様又は第４態様のいずれか１つの可能な実現方式における方法を実行するためのユニットを備える。
【００４７】
第１０態様に係るネットワーク装置であって、上記第５態様又は第５態様のいずれか１つの可能な実現方式における方法を実行することに用いられる。具体的に、該ネットワーク装置は上記第５態様又は第５態様のいずれか１つの可能な実現方式における方法を実行するためのユニットを備える。
【００４８】
第１１態様に係る端末装置であって、該端末装置はメモリ、プロセッサ、入力インターフェース及び出力インターフェースを備える。メモリ、プロセッサ、入力インターフェース及び出力インターフェースはバスシステムによって接続される。該メモリは命令を記憶することに用いられ、該プロセッサは該メモリに記憶される命令を実行し、上記第１態様又は第１態様のいずれか１つの可能な実現方式における方法を実行することに用いられる。
【００４９】
第１２態様に係るネットワーク装置であって、該ネットワーク装置はメモリ、プロセッサ、入力インターフェース及び出力インターフェースを備える。メモリ、プロセッサ、入力インターフェース及び出力インターフェースはバスシステムによって接続される。該メモリは命令を記憶することに用いられ、該プロセッサは該メモリに記憶される命令を実行し、上記第２態様又は第２態様のいずれか１つの可能な実現方式における方法を実行することに用いられる。
【００５０】
第１３態様に係る端末装置であって、該端末装置はメモリ、プロセッサ、入力インターフェース及び出力インターフェースを備える。メモリ、プロセッサ、入力インターフェース及び出力インターフェースはバスシステムによって接続される。該メモリは命令を記憶することに用いられ、該プロセッサは該メモリに記憶される命令を実行し、上記第３態様又は第３態様のいずれか１つの可能な実現方式における方法を実行することに用いられる。
【００５１】
第１４態様に係るネットワーク装置であって、該ネットワーク装置はメモリ、プロセッサ、入力インターフェース及び出力インターフェースを備える。メモリ、プロセッサ、入力インターフェース及び出力インターフェースはバスシステムによって接続される。該メモリは命令を記憶することに用いられ、該プロセッサは該メモリに記憶される命令を実行し、上記第４態様又は第４態様のいずれか１つの可能な実現方式における方法を実行することに用いられる。
【００５２】
第１５態様に係るネットワーク装置であって、該ネットワーク装置はメモリ、プロセッサ、入力インターフェース及び出力インターフェースを備える。メモリ、プロセッサ、入力インターフェース及び出力インターフェースはバスシステムによって接続される。該メモリは命令を記憶することに用いられ、該プロセッサは該メモリに記憶される命令を実行し、上記第５態様又は第５態様のいずれか１つの可能な実現方式における方法を実行することに用いられる。
【００５３】
第１６態様に係るコンピュータ記憶媒体であって、上記第１態様又は第１態様のいずれか１つの可能な実現方式における方法、又は上記第２態様又は第２態様のいずれか１つの可能な実現方式における方法、又は上記第３態様又は第３態様のいずれか１つの可能な実現方式における方法、又は上記第４態様又は第４態様のいずれか１つの可能な実現方式における方法、又は上記第５態様又は第５態様のいずれか１つの可能な実現方式における方法を実行するために用いた、上記態様を実行するために設計したプログラムを含むコンピュータソフトウェア命令を記憶することに用いられる。
【００５４】
第１７態様に係る命令を含むコンピュータプログラム製品であって、コンピュータにおいて実行されるとき、コンピュータは上記第１態様又は第１態様のいずれか１つの可能な実現方式における方法、又は上記第２態様又は第２態様のいずれか１つの可能な実現方式における方法、又は上記第３態様又は第３態様のいずれか１つの可能な実現方式における方法、又は上記第４態様又は第４態様のいずれか１つの可能な実現方式における方法、又は上記第５態様又は第５態様のいずれか１つの可能な実現方式における方法を実行する。
【００５５】
本願のこれらの態様又は他の態様は以下の実施例についての説明から明らかになる。
【図面の簡単な説明】
【００５６】
【図１】図１は本願の実施例の１つの応用シーンの模式図である。
【図２】図２は本願の実施例のデータ伝送方法のブロック図である。
【図３】図３は本願の実施例のデータ伝送方法の他のブロック図である。
【図４】図４は本願の実施例のデータ伝送方法の別のブロック図である。
【図５】図５は本願の実施例のデータ伝送方法の別のブロック図である。
【図６】図６は本願の実施例のデータ伝送方法の別のブロック図である。
【図７】図７は本願の実施例のデータ伝送方法の別のブロック図である。
【図８】図８は本願の実施例の端末装置のブロック図である。
【図９】図９は本願の実施例のネットワーク装置のブロック図である。
【図１０】図１０は本願の実施例の端末装置の他のブロック図である。
【図１１】図１１は本願の実施例のネットワーク装置の他のブロック図である。
【図１２】図１２は本願の実施例のネットワーク装置の別のブロック図である。
【図１３】図１３は本願の実施例の端末装置の別のブロック図である。
【図１４】図１４は本願の実施例のネットワーク装置の別のブロック図である。
【図１５】図１５は本願の実施例の端末装置の別のブロック図である。
【図１６】図１６は本願の実施例のネットワーク装置の別のブロック図である。
【図１７】図１７は本願の実施例のネットワーク装置の別のブロック図である。
【発明を実施するための形態】
【００５７】
以下、本願の実施例の図面を参照しながら、本願の実施例の技術案を明確且つ完全に説明する。
【００５８】
理解すべきものは、本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ＬＴＥシステム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、新無線（ＮＲ：Ｎｅｗ  Ｒａｄｉｏ）又は将来の５Ｇシステム等に適用されてもよい。
【００５９】
特に、本願の実施例の技術案は非直交多元アクセス技術に基づく様々な通信システム、例えば疎コード多重アクセス（ＳＣＭＡ：Ｓｐａｒｓｅ  Ｃｏｄｅ  Ｍｕｌｔｉｐｌｅ  Ａｃｃｅｓｓ）システム、低密度シグネチャ（ＬＤＳ：Ｌｏｗ  Ｄｅｎｓｉｔｙ  Ｓｉｇｎａｔｕｒｅ）システム等に適用されてもよく、無論、通信分野ではＳＣＭＡシステム及びＬＤＳシステムが他の名称と称されてもよく、更に、本願の実施例の技術案は非直交多元アクセス技術を用いたマルチキャリア伝送システム、例えば非直交多元アクセス技術を用いた直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）、フィルタバンクマルチキャリア（ＦＢＭＣ：Ｆｉｌｔｅｒ  Ｂａｎｋ  Ｍｕｌｔｉ−Ｃａｒｒｉｅｒ）、汎用周波数分割多重（ＧＦＤＭ：Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ）、フィルタ直交周波数分割多重（Ｆ−ＯＦＤＭ：Ｆｉｌｔｅｒｅｄ−ＯＦＤＭ）システム等に適用されてもよい。
【００６０】
図１には本願の実施例に適用される無線通信システム１００を示す。該無線通信システム１００はアクセスネットワーク装置１１０を備えてもよい。アクセスネットワーク装置１１０は端末装置と通信する装置であってもよい。アクセスネットワーク装置１１０は特定の地理的領域に通信カバレッジを提供することができ、且つ該カバレッジ領域内の端末装置（例えば、ＵＥ）と通信することができる。好ましくは、該アクセスネットワーク装置１１０は次世代の無線アクセスネットワーク（ＮＧ  ＲＡＮ：Ｎｅｘｔ  Ｇｅｎｅｒａｔｉｏｎ  Ｒａｄｉｏ  Ａｃｃｅｓｓ  Ｎｅｔｗｏｒｋ）、又はＮＲシステムにおける基地局（ｇＮＢ）、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線制御装置であってもよく、又は、該アクセスネットワーク装置は中継所、アクセスポイント、車載装置、ウェアラブル端末、又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク装置等であってもよい。好ましくは、該アクセスネットワーク装置１１０は更にＬＴＥシステムにおける基地局、例えば、進化したユニバーサル地上無線アクセスネットワーク（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）装置であってもよい。
【００６１】
該無線通信システム１００は更にアクセスネットワーク装置１１０のカバレッジ範囲内の少なくとも１つの端末装置１２０を備える。端末装置１２０は可動又は固定であってもよい。好ましくは、端末装置１２０はアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００６２】
該無線通信システム１００は更にアクセスネットワーク装置と通信するコアネットワーク装置１３０を備える。好ましくは、該コアネットワーク装置１３０は５Ｇコアネットワーク装置、例えばアクセス及びモビリティ管理機能（ＡＭＦ：Ａｃｃｅｓｓ  ａｎｄ  Ｍｏｂｉｌｉｔｙ  Ｍａｎａｇｅｍｅｎｔ  Ｆｕｎｃｔｉｏｎ）、更に例えばセッション管理機能（ＳＭＦ：Ｓｅｓｓｉｏｎ  Ｍａｎａｇｅｍｅｎｔ  Ｆｕｎｃｔｉｏｎ）であってもよい。好ましくは、該コアネットワーク装置１３０は更にＬＴＥネットワークの進化したパケットコア（ＥＰＣ：Ｅｖｏｌｖｅｄ  Ｐａｃｋｅｔ  Ｃｏｒｅ）装置、例えばセッション管理機能＋コアネットワーク側のデータゲートウェイ（ＳＭＦ＋ＰＧＷ−Ｃ：Ｓｅｓｓｉｏｎ  Ｍａｎａｇｅｍｅｎｔ  Ｆｕｎｃｔｉｏｎ  ＋  Ｃｏｒｅ  Ｐａｃｋｅｔ  Ｇａｔｅｗａｙ）装置であってもよい。
【００６３】
理解すべきものは、ＳＭＦ＋ＰＧＷ−ＣはＳＭＦ及びＰＧＷ−Ｃの実現できる機能を同時に実現することができる。
【００６４】
好ましくは、本願の実施例では、ＡＭＦはＳＭＦと情報交換を行い、例えば、ＳＭＦはＡＭＦからいくつかの無線アクセスネットワーク側の情報を取得することができる。
【００６５】
好ましくは、本願の実施例では、ＡＭＦは無線アクセスネットワークからフォールバック識別子、又は、端末装置に対する第１ベアラ／フローの確立に成功しないことを示すためのメッセージを取得することができる。
【００６６】
図１には１つのアクセスネットワーク装置、１つのコアネットワーク装置及び２つの端末装置を例示的に示し、好ましくは、該無線通信システム１００は複数のアクセスネットワーク装置を備えてもよく、且つ各アクセスネットワーク装置のカバレッジ範囲内に他の数の端末装置が含まれてもよく、本願の実施例は制限しない。
【００６７】
好ましくは、該無線通信システム１００は更にモビリティ管理エンティティ（ＭＭＥ：Ｍｏｂｉｌｅ  Ｍａｎａｇｅｍｅｎｔ  Ｅｎｔｉｔｙ）、統一データ管理（ＵＤＭ：Ｕｎｉｆｉｅｄ  Ｄａｔａ  Ｍａｎａｇｅｍｅｎｔ）、認証サーバ機能（ＡＵＳＦ：Ａｕｔｈｅｎｔｉｃａｔｉｏｎ  Ｓｅｒｖｅｒ  Ｆｕｎｃｔｉｏｎ）、ユーザープレーン機能（ＵＰＦ：Ｕｓｅｒ  Ｐｌａｎｅ  Ｆｕｎｃｔｉｏｎ）、シグナリングゲートウェイ（ＳＧＷ：Ｓｉｇｎａｌｉｎｇ  Ｇａｔｅｗａｙ）等の他のネットワークエンティティを備えてもよく、本願の実施例は制限しない。
【００６８】
理解すべきものは、本明細書において、本明細書における用語「システム」と「ネットワーク」は常に交換可能に使用される。本明細書における用語「及び／又は」は関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００６９】
図２は本願の実施例のデータ伝送方法２００のブロック図である。図２に示される端末装置は図１に示される端末装置であってもよく、図２に示されるネットワーク装置は図１に示されるコアネットワーク装置であってもよい。該方法２００は以下の一部又は全部を含む。
【００７０】
Ｓ２１０において、端末装置が第１のプロトコルデータユニット（ＰＤＵ）セッションにおいてＮ個のデータフローのセッション確立を要求するための第１要求メッセージをネットワーク装置に送信する。
【００７１】
Ｓ２２０において、前記端末装置は前記ネットワーク装置から送信された、前記ネットワーク装置が前記第１のＰＤＵセッションにおいて前記Ｎ個のデータフローのうちのＭ個のデータフローのセッション確立を行うことを拒絶したことを示すための前記第１要求メッセージの応答メッセージを受信し、ＮとＭがいずれも正の整数であって、ＮがＭ以上である。
【００７２】
具体的に、端末装置が複数のデータフロー（Ｆｌｏｗ）に対して１つのプロトコルデータユニット（ＰＤＵ：Ｐｒｏｔｏｃｏｌ  Ｄａｔａ  Ｕｎｉｔ）セッションにおいてセッションを確立するように要求する場合、端末装置はコアネットワーク装置へ非アクセス層（ＮＡＳ：Ｎｏｎ−Ａｃｃｅｓｓ  Ｓｔｒａｔｕｍ）メッセージを送信してもよく、該ＮＡＳメッセージはあるＰＤＵセッションを確立又は修正するように要求することができ、且つ該ＮＡＳメッセージに該ＰＤＵセッションの識別子（ＩＤ：Ｉｄｅｎｔｉｔｙ）が含まれてもよく、コアネットワーク装置は該ＮＡＳメッセージを受信すると、どのＰＤＵセッションにおいてデータフローのセッションを確立するかを把握することができる。理解すべきものは、１つの端末装置は複数のＰＤＵセッションがある可能性があり、本願の実施例では１つの端末装置に対する複数のＰＤＵセッションのうちのあるＰＤＵセッションである。コアネットワーク装置が端末装置から送信された該セッション確立又は修正要求を受信した後、コアネットワーク装置はアクセスネットワーク装置が複数のデータフローの該ＰＤＵセッションにおける確立又は修正を行うようにトリガーすることができる。アクセスネットワーク装置は更に要求に応じてどのデータフローが該ＰＤＵセッションにおいてセッション確立を行えるかを判断することができ、そうするとデータフローが該ＰＤＵセッションにおいてセッション確立を行うことができず、アクセスネットワーク装置が更にコアネットワーク装置へ１つのデータフローリストを送信することができ、該データフローリストは該アクセスネットワーク装置の受け入れたデータフローリストであってもよく、アクセスネットワーク装置の拒絶したデータフローリストであってもよい。コアネットワーク装置は該データフローリストを受信した後、端末装置へ応答メッセージを送信して、ネットワーク装置が要求されるデータフローのうちのデータフローの一部を拒絶したことを端末装置に通知することができ、端末装置はデータフローの一部が拒絶された後、対応する調整を行うことができ、例えば、該ＰＤＵセッションを確立するパラメータを調整し、又は１つのＰＤＵセッションを取り替えて拒絶されたデータフローのセッション確立等を改めて開始することができる。
【００７３】
従って、本願の実施例のデータ伝送方法によれば、端末装置へセッション確立状況をフィードバックすることにより、端末装置がセッション確立ポリシーを直ちに調整することができ、それにより通信システムの性能の向上に役立つ。
【００７４】
理解すべきものは、本願の実施例は５Ｇ通信システムに適用されてもよく、つまり、本願の実施例のコアネットワーク装置は５ＧにおけるＳＭＦであってもよい。好ましくは、セッション確立過程において、ＳＭＦはＵＰＦと対話してセッション確立を行うことができる。
【００７５】
好ましくは、該応答メッセージには該第１のＰＤＵセッションが該Ｍ個のデータフローをサポートしないことを示すための拒絶理由値が含まれる。
【００７６】
一般的に、ネットワーク側は１つ又は複数のＦｌｏｗが１つのＰＤＵセッションにおいて確立することを拒絶してもよく、その理由が複数あってもよく、例えば、ＰＤＵセッションが許可されない、無線アクセス技術（ＲＡＴ：Ｒａｄｉｏ  Ａｃｃｅｓｓ  Ｔｅｃｈｎｏｌｏｇｙ）アクセスが許可されない、セッション又はサービス継続性モードが満足されない、（Ｓ−ＮＳＳＡＩ：Ｓｉｎｇｌｅ−Ｎｅｔｗｏｒｋ  Ｓｌｉｃｅ  Ｓｅｌｅｃｔｉｏｎ  Ａｓｓｉｓｔａｎｃｅ  Ｉｎｆｏｒｍａｔｉｏｎ）がエラーになる、データネットワーク名（ＤＮＮ：Ｄａｔａ  Ｎｅｔｗｏｒｋ  Ｎａｍｅ）がサポートされない及びＰＤＵセッション識別子が識別されない可能性がある。本願の実施例では、ネットワーク側が端末装置へ送信した応答メッセージには理由値が含まれてもよく、具体的に、ネットワーク側は端末装置といくつｂｉｔで上記様々な理由を示すか、例えば、０００１でＰＤＵセッションが許可されないことを示し、００１０でＲＡＴアクセスが許可されないことを示す等を予め決定してもよい。ＰＤＵセッションが許可されないことはＰＤＵセッションが満了したため、該ＰＤＵセッションにデータフロー等を追加できなくなるということであってもよく、ＰＤＵセッションが許可されない及びＰＤＵセッション識別子はＰＤＵセッションがサポートされないこととして見なされてもよい。端末装置が応答メッセージに基づいてＰＤＵセッションがサポートされないによるのを把握した場合、端末装置はＰＤＵセッションを適切に調整して、再びネットワーク装置へのセッション確立又は修正を開始してもよい。更にＰＤＵセッション確立に成功する可能性を向上させることができる。
【００７７】
好ましくは、該応答メッセージには該Ｍ個のデータフローのうちの各データフローの識別子が含まれる。
【００７８】
更に、ネットワーク装置は更に応答メッセージによってどのデータフローがネットワーク側に拒絶されたかを端末装置に示すことができ、例えば、該応答メッセージにはネットワーク装置の受け入れたデータフローリストを含ませてもよく、端末装置は受け入れたデータフローリストに基づいて更にどのデータフローが拒絶されたかを決定することができる。応答メッセージにはネットワーク装置の拒絶したデータフローリストを直接含ませてもよい。データフローリストは複数のデータフローの識別子を含んでもよい。
【００７９】
端末装置はどのデータフローが拒絶されたかを把握した後、端末装置はこれらの拒絶されたデータフローに対してセッション調整を行うことができる。端末装置はどのデータフローが拒絶されたかを把握しなくてもよく、拒絶理由を把握すると、端末装置はすべてのデータフローに対してセッション調整を行うことができるようになる。
【００８０】
好ましくは、該方法は、更に、該端末装置が該応答メッセージに応答して、第２のＰＤＵセッションにおいて該Ｍ個のデータフローのうちの少なくとも１つのデータフローのセッション確立を要求するための第２要求メッセージを該ネットワーク装置に送信することを含む。
【００８１】
好ましくは、該第１要求メッセージに該第１のＰＤＵセッションの識別子が含まれ、該第２要求メッセージに該第２のＰＤＵセッションの識別子が含まれ、該第２のＰＤＵセッションが該第１のＰＤＵセッションの識別子を調整した後の該第１のＰＤＵセッションである。
【００８２】
好ましくは、該端末装置が該応答メッセージに応答する前に、該方法は、更に、該端末装置が該Ｍ個のデータフローに基づき、該第１のＰＤＵセッションではない該第２のＰＤＵセッションの確立パラメータを調整することを含む。
【００８３】
以上によれば、端末装置は拒絶されたデータフローリスト及び拒絶理由がＰＤＵセッションのサポートされないのを把握した後、端末装置は該データフローのセッション確立を調整することができるようになる。例えば、端末装置は前回ＰＤＵセッションの識別子がローカルネットワークに識別できないによるのを把握した場合、端末装置は１つの新しい識別子を生成し、前回のＰＤＵセッションの内容を再び使用して拒絶されたデータフローに対してセッション確立を行ってもよい。具体的に、ローカルネットワークがＰＤＵセッション識別子１〜１００を識別したが、前回のＰＤＵセッションの識別子が１０１である場合、ローカルネットワークが該ＰＤＵセッション識別子を識別できず、ネットワーク側は該ＰＤＵセッション識別子が識別されないことを端末装置に通知してもよく、そうすると端末装置は１〜１００にある１つの新しいＰＤＵセッション識別子を生成し、該ＰＤＵセッションを改めて使用してセッション確立又は修正要求を開始してもよく、且つ該要求には生成したばかりのＰＤＵセッション識別子を含ませる。更に、例えば、端末装置は前回ＰＤＵセッションが許可されないためデータフローが拒絶されることを把握した場合、端末装置は該拒絶されたデータフローをもう１つのＰＤＵセッションにバインディングして、ＰＤＵセッション確立を再び開始してもよい。具体的に、端末装置はもう１つのＰＤＵセッションの確立パラメータを修正し、拒絶されたデータフローを該ＰＤＵセッションと関連付けてもよい。
【００８４】
好ましくは、該応答メッセージに該第２のＰＤＵセッションの識別子が含まれる。
【００８５】
具体的に、ネットワーク装置はＰＤＵセッションがサポートされないためいくつかのデータフローが拒絶されると判断すると、ネットワーク装置は端末装置へ提案するＰＤＵセッションを送信してもよく、例えば、ネットワーク装置は応答メッセージに提案するＰＤＵセッションの識別子を直接含ませてもよい。又は、ネットワーク装置はＰＤＵセッションの識別子が識別されないによるのを判断すると、ネットワーク装置は端末装置にＰＤＵセッション識別子を提案してもよい。要するに、ネットワーク装置は端末装置へ拒絶理由値に対応する様々なパラメータの提案値を送信してもよい。本願の実施例はこれに限らない。
【００８６】
以下、図３を参照しながら本願の実施例のデータ伝送方法３００のフローチャートを詳しく説明する。該方法は５Ｇ通信システムを例として説明し、該方法３００は以下の一部又は全部を含む。
【００８７】
Ｓ３０１において、ＵＥがＳＭＦへ第１のＰＤＵセッション確立又は修正要求を送信し、該ＮＡＳメッセージに該第１のＰＤＵセッションの識別子が含まれる。
【００８８】
Ｓ３０２において、ＳＭＦは該第１のＰＤＵセッション確立又は修正要求を受信した後、ＵＰＦと対話してセッション確立を行うことができるようになる。
【００８９】
Ｓ３０３において、ＳＭＦは該第１のＰＤＵセッション確立又は修正要求を受信した後、無線アクセスネットワーク（ＲＡＮ：Ｒａｄｉｏ  Ａｃｃｅｓｓ  Ｎｅｔｗｏｒｋ）がセッション確立又は修正要求を行うようにトリガーしてもよい。
【００９０】
Ｓ３０４において、ＲＡＮはセッション確立を行った後、ＳＭＦへ受信又は拒絶されたＦｌｏｗリストが含まれることを返信してもよい。
【００９１】
Ｓ３０５において、ＳＭＦはＲＡＮの返信を受信した後、ＵＥへ全部拒絶それとも一部拒絶である拒絶されたリストが含まれてもよく、拒絶理由が含まれてもよく、提案値すなわち提案するＰＤＵセッション又は提案するＰＤＵセッションの識別子が含まれてもよいことを返信してもよい。
【００９２】
Ｓ３０６において、ＵＥは応答メッセージを受信した後、対応する調整を行って、ＰＤＵセッションの確立又は修正を改めて開始してもよい。具体的に、ＵＥはＳＭＦへ新しいＰＤＵセッション識別子（ＰＤＵセッション識別子が識別されない）が含まれてもよく、該第２のＰＤＵセッションの識別子（取り替えたＰＤＵセッション）及び前に拒絶されたＦｌｏｗが含まれてもよい第２のＰＤＵセッションの確立又は修正要求を送信してもよい。
【００９３】
図４は本願の実施例のデータ伝送方法４００のブロック図である。図４に示すように、該方法４００は以下の一部又は全部を含む。
【００９４】
Ｓ４１０において、ネットワーク装置が端末装置から送信された、第１のプロトコルデータユニット（ＰＤＵ）セッションにおいてＮ個のデータフローのセッション確立を要求するための第１要求メッセージを受信する。
【００９５】
Ｓ４２０において、該ネットワーク装置は該ネットワーク装置が該第１のＰＤＵセッションにおいて該Ｎ個のデータフローのうちのＭ個のデータフローのセッション確立を行うことを拒絶したことを示すための該第１要求メッセージの応答メッセージを該端末装置に送信し、ＮとＭがいずれも正の整数であって、ＮがＭ以上である。
【００９６】
従って、本願の実施例のデータ伝送方法によれば、端末装置へセッション確立状況をフィードバックすることにより、端末装置がセッション確立ポリシーを直ちに調整することができ、それにより通信システムの性能の向上に役立つ。
【００９７】
好ましくは、該応答メッセージには該第１のＰＤＵセッションが該Ｍ個のデータフローをサポートしないことを示すための拒絶理由値が含まれる。
【００９８】
好ましくは、該応答メッセージには該Ｍ個のデータフローのうちの各データフローの識別子が含まれる。
【００９９】
好ましくは、該方法は、更に、該ネットワーク装置が該端末装置から送信された、第２のＰＤＵセッションにおいて該Ｍ個のデータフローのうちの少なくとも１つのデータフローのセッション確立を要求するための第２要求メッセージを受信することを含む。
【０１００】
好ましくは、該応答メッセージには該ネットワーク装置の提案する該第１のＰＤＵセッションではない該第２のＰＤＵセッションの識別子が含まれる。
【０１０１】
好ましくは、該ネットワーク装置がセッション管理機能（ＳＭＦ）装置であり、該方法は、更に、該ＳＭＦ装置が該第１要求メッセージに基づき、アクセスネットワーク装置が該第１のＰＤＵセッションにおいて該Ｎ個のデータフローのセッション確立を行うようにトリガーすることと、該ＳＭＦ装置が該アクセスネットワーク装置から送信された該第１のＰＤＵセッションに対応するデータフローリストを受信し、該データフローリストが該Ｍ個のデータフロー又は該第１のＰＤＵセッションにより受信した該Ｎ個のデータフローのうちの（Ｎ−Ｍ）個のデータフローを含むことと、を含む。
【０１０２】
理解すべきものは、ネットワーク装置に説明されるネットワーク装置と端末装置との相互作用及び関連特性、機能等は端末装置の関連特性、機能に対応する。且つ、関連内容は上記方法２００及び方法３００において既に詳しく説明されたため、簡潔のため、ここで詳細な説明は省略する。
【０１０３】
更に理解すべきものは、本願の様々な実施例では、上記各過程の番号の順位は実行順序の前後を意味せず、各過程の実行順序はその機能及び内部論理によって決定されるべきであり、本願の実施例の実施過程を制限するためのものではない。
【０１０４】
図５は本願の実施例のデータ伝送方法５００のブロック図である。図５に示すように、該方法５００は以下の一部又は全部を含む。
【０１０５】
Ｓ５１０において、端末装置がユーザー装置ルート選択ポリシー（ＵＲＳＰ）における少なくとも１つのルールのうちの各ルールの識別子に基づき、それぞれ該少なくとも１つのルールを取得する。
【０１０６】
Ｓ５２０において、該端末装置が該少なくとも１つのルールに基づき、それぞれネットワーク装置への該少なくとも１つのルールに１対１に対応する少なくとも１つのプロトコルデータユニット（ＰＤＵ）セッションの確立又は修正を開始する。
【０１０７】
具体的に、５Ｇにはユーザー装置ルーティングポリシー（ＵＲＳＰ：ＵＥ  Ｒｏｕｔｅ  Ｓｅｌｅｃｔｉｏｎ  Ｐｏｌｉｃｙ）の概念が導入されており、ＵＲＳＰポリシーはＵＥの異なるデータフローに対するルーティングポリシーを規定した。各端末装置は１つのみのＵＲＳＰがあり、各ＵＲＳＰは複数のルールがあってもよく、端末装置は各ルールに基づいて１つのＰＤＵセッション確立を開始してもよい。具体的に、端末装置はあるルールにおける１つ又は複数のパラメータに基づいて１つのＰＤＵセッション確立又は修正を開始してもよい。例えば、該１つ又は複数のパラメータはアクセスＲＡＴ、セッション又はサービス継続性、ネットワークスライス化又は分散化等であってもよい。該ルールにおけるパラメータはコアネットワークにより測定されて、端末装置が登録を行う際に端末装置に送信されてもよく、端末装置はこれに応じてセッションの確立又は修正プロセスを開始する。本願の実施例では、ルール識別子を導入することにより、ネットワーク装置がすべてのルールを１回で端末装置に送信することなく、端末装置はルール識別子に基づいてあるルールを取得することができ、ネットワーク装置の負荷を軽減して、通信柔軟性を向上させる。
【０１０８】
好ましくは、該少なくとも１つのルールが複数のルールであり、該端末装置が該複数のルールに基づき、それぞれネットワーク装置への該複数のルールに１対１に対応する複数のプロトコルデータユニット（ＰＤＵ）セッションの確立又は修正を開始することは、該端末装置が該複数のルールの優先度に基づき、順に該ネットワーク装置への該複数のＰＤＵセッションの確立又は修正を開始することを含む。
【０１０９】
具体的に、本願の実施例では、該ＵＲＳＰにおける複数のルールは優先度概念を導入してもよく、つまり端末装置はあるルールに基づいてネットワーク装置への該ルールに対応するＰＤＵセッションの確立又は修正を優先的に開始してもよい。端末装置は複数のルールを分類して、各種類のルールに対して優先度ソートを行ってもよく、同種類のルールにおいて開始したＰＤＵセッションをソートしなくてもよく、つまり任意の順序でＰＤＵセッションを開始してもよい。
【０１１０】
好ましくは、各ルールの識別子で各ルールの優先度を特徴づけてもよい。例えば、端末装置がルール＃１を取得すると、端末装置は該ルール＃１の優先度が最も高いと見なされてもよい。
【０１１１】
好ましくは、該少なくとも１つのルールのうちの第１ルールは無線アクセス技術（ＲＡＴ）、セッション及びサービス継続性モード、単一のネットワークスライス選択補助情報（Ｓ−ＮＳＳＡＩ）、分散タイプ、データネットワーク名（ＤＮＮ）並びにデータフローフィルタのうちの少なくとも１つを含む。
【０１１２】
理解すべきものは、ここで第１ルールを例として説明し、ＵＲＳＰにおける各ルールはいずれも上記様々なパラメータの任意の組み合わせを含んでもよく、且つ上記様々なパラメータは模式的な説明に過ぎず、本願の実施例はこれらに限らない。
【０１１３】
好ましくは、該少なくとも１つのパラメータのうちの第１パラメータは優先度を特徴づける複数の値を含み、該端末装置が該第１ルールに基づき、ネットワーク装置への第１のプロトコルデータユニット（ＰＤＵ）セッションの確立又は修正を開始することは、該端末装置が該複数の値の優先度に基づき、該ネットワーク装置への第１のＰＤＵセッションの確立又は修正を開始することを含む。
【０１１４】
例えば、第１ルールはアクセスＲＡＴ、セッション及びサービス継続性モード及び単一のネットワークスライス選択補助情報（Ｓ−ＮＳＳＡＩ）を含んでもよく、且つアクセスＲＡＴの値が第３世代移動体通信システムの標準化プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）アクセス（ａｃｃｅｓｓ）及び無線ローカルエリアネットワーク（ＷＬＡＮ：Ｗｉｒｅｌｅｓｓ  Ｌｏｃａｌ  Ａｒｅａ  Ｎｅｔｗｏｒｋｓ）  ａｃｃｅｓｓである。セッション及びサービス継続性モードはモード３及びモード２を含み、Ｓ−ＮＳＳＡＩはＳ−ＮＳＳＡＩ−ａ及びＳ−ＮＳＳＡＩ−ｂを含む。各パラメータの値に対して優先度ソートを行ってもよく、例えば、アクセスＲＡＴが３ＧＰＰ  ａｃｃｅｓｓを優先的に使用してもよく、Ｓ−ＮＳＳＡＩがＳ−ＮＳＳＡＩ−ａを優先的に使用してもよく、セッション及びサービス継続性モードがモード３等を優先的に使用してもよい。ネットワーク装置はあるパラメータの値が適切ではないことをフィードバックすると、端末装置は他の値に調整してもよい。端末装置はＰＤＵセッション確立又は修正を初めて開始するとき、該ＰＤＵセッションに対応するルールにおけるあるパラメータの値をランダムに選択してもよい。ＰＤＵセッション確立に成功する可能性を向上させるように、端末装置が優先度のより高いあるパラメータの値を直接選択してもよい。端末装置がＰＤＵセッション確立又は修正を初めて開始する際にあるパラメータの値をランダムに選択した場合、ネットワーク装置は該パラメータが要件を満足しないため該ＰＤＵセッション要求を拒絶するとき、端末装置が該パラメータの優先度の更に高い値を選択して該ＰＤＵセッション要求を再び開始してもよい。
【０１１５】
好ましくは、該端末装置が該少なくとも１つのルールのうちの第１ルールに基づき、ネットワーク装置への第１のプロトコルデータユニット（ＰＤＵ）セッションの確立又は修正を開始することは、該端末装置が該第１ルールに基づき、該ネットワーク装置が該第１のＰＤＵセッションにおいてＮ個のデータフローのセッション確立を要求するための第１要求メッセージを該ネットワーク装置に送信することを含み、該端末装置が該第１ルールに基づき、該ネットワーク装置への第１のＰＤＵセッションの確立又は修正を開始した後、該方法は、更に、該端末装置が該ネットワーク装置から送信された、該ネットワーク装置が該第１のＰＤＵセッションにおいて該Ｎ個のデータフローのうちのＭ個のデータフローのセッション確立を行うことを拒絶したことを示すための該第１要求メッセージの応答メッセージを受信し、ＮとＭがいずれも正の整数であって、ＮがＭ以上であることを含む。
【０１１６】
好ましくは、該応答メッセージには、ＰＤＵセッションがサポートされない、ＲＡＴアクセスが許可されない、セッション又はサービス継続性モードが満足されない、Ｓ−ＮＳＳＡＩがエラーになる、ＤＮＮがサポートされない及びＰＤＵセッション識別子が識別されない状況のうちの少なくとも１つを示すための拒絶理由値が含まれる。
【０１１７】
一般的に、ネットワーク側は１つ又は複数のＦｌｏｗが１つのＰＤＵセッションにおいて確立することを拒絶してもよく、その理由は複数あってもよく、例えば、ＰＤＵセッションが許可されない、ＲＡＴアクセスが許可されない、セッション又はサービス継続性モードが満足されない、Ｓ−ＮＳＳＡＩがエラーになる、ＤＮＮがサポートされない等のＵＲＳＰにおける該ＰＤＵセッションに対応するルールのパラメータが要件を満足しない可能性があるが、ＰＤＵセッション識別子が識別されないものであってもよい。本願の実施例では、ネットワーク側が端末装置へ送信した応答メッセージには理由値が含まれてもよく、具体的に、ネットワーク側は端末装置といくつｂｉｔで上記様々な理由を示すか、例えば、０００１でＰＤＵセッションが許可されないことを示し、００１０でＲＡＴアクセスが許可されないことを示す等を予め決定してもよい。端末装置はＵＲＳＰにおける対応するルールのあるパラメータが要件を満足しないことを把握すると、端末装置は該パラメータの値を調整することができるようになる。
【０１１８】
好ましくは、該方法は、更に、該端末装置が該応答メッセージに応答して、該拒絶理由値に対応する該第１ルールにおけるパラメータの値を調整することと、該端末装置が調整後の該第１ルールに基づき、該ネットワーク装置が第１のＰＤＵセッションにおいて該Ｍ個のデータフローのうちの少なくとも１つのデータフローのセッション確立を要求するための第２要求メッセージを該ネットワーク装置に送信することと、を含む。
【０１１９】
好ましくは、該拒絶理由値に対応する該第１ルールのパラメータは優先度を特徴づける複数の値を含み、該端末装置が該応答メッセージに応答して、該拒絶理由値に対応する該第１ルールのパラメータの値を調整することは、該端末装置が該応答メッセージに応答して、該拒絶理由値に対応する該第１のＵＲＳＰのパラメータの値を優先度の前回第１のＰＤＵセッション確立を開始したものより高い値に調整することを含む。
【０１２０】
好ましくは、該応答メッセージには該ネットワーク装置の提案する該拒絶理由値に対応する該第１ルールのパラメータの値が含まれ、該端末装置が該応答メッセージに応答して、該拒絶理由値に対応する該第１のＵＲＳＰのパラメータの値を調整することは、該端末装置が該拒絶理由値に対応する該第１ルールのパラメータの値を該ネットワーク装置の提案する該拒絶理由値に対応する該第１ルールのパラメータの値に調整することを含む。
【０１２１】
つまり、端末装置は応答メッセージを受信した後、ネットワーク装置が応答メッセージに提案値を含ませる場合、提案値に基づいて修正し、提案値が含まれない場合、拒絶理由値に対応するルールにおけるパラメータをパラメータの優先度に応じて調整してもよい。例えば、ネットワーク装置の返信したのはアクセスＲＡＴアクセスが満足されない場合、端末装置は優先度の更に高いＲＡＴアクセスを選択してＰＤＵセッション確立を再び開始してもよい。ネットワーク装置の返信したのはアクセスＲＡＴアクセスが満足されず、且つ該返信にはＲＡＴアクセスが３ＧＰＰ  ａｃｃｅｓｓであると提案するのが含まれる場合、端末装置は直接３ＧＰＰ  ａｃｃｅｓｓに基づいてＰＤＵセッション確立を再び開始してもよい。
【０１２２】
好ましくは、該方法は、更に、該端末装置が該ネットワーク装置から送信された該ＵＲＳＰにおける該少なくとも１つのルールのうちの第１ルール以外の第２ルール及び該第１ルールの識別子を受信することを含み、該端末装置が第１ルールの識別子に基づき、該第１ルールを取得することは、該端末装置が該第２ルールに対応する第２のＰＤＵセッションを確立した後、該第１ルールの識別子に基づき、ユーザープレーンによって該第１ルールを取得し、又は該端末装置が該第１ルールの識別子に基づき、該ネットワーク装置がコントロールプレーンによって該第１ルールを送信するようにトリガーすることを含む。
【０１２３】
当業者であれば理解されるように、端末装置がネットワーク登録を実行するプロセスで、ネットワーク装置がポリシー制御機能（ＰＣＦ：Ｐｏｌｉｃｙ  Ｃｏｎｔｒｏｌ  Ｆｕｎｔｉｏｎ）によって端末装置へＵＲＳＰポリシーを送信する。
【０１２４】
好ましくは、該方法は、更に、該端末装置がサーバの識別子を受信することを含み、該端末装置が該第２ルールに対応する第２のＰＤＵセッションを確立した後、該第１ルールの識別子に基づき、ユーザープレーンによって該第１ルールを取得することは、該端末装置が該第２ルールに対応する第２のＰＤＵセッションを確立した後、該第１ルールの識別子及び該サーバの識別子に基づき、ユーザープレーンによって該第１ルールを取得することを含む。
【０１２５】
好ましくは、該第２ルールの優先度が該第１ルールの優先度より高い。
【０１２６】
本願の実施例では、ネットワーク負荷を軽減するために、ＵＲＳＰポリシーが大きすぎる場合、ＰＣＦは１つのシグナリングメッセージによって端末装置に完全に送信できない可能性があり、そうするとＰＣＦはコントロールプレーンによって端末装置へＵＲＳＰにおける複数のルールを複数バッチに分けて送信してもよく、例えば、複数のルールをグループ分けして、各メッセージによって１組のルールを送信してもよく、又は、該複数のルールに対して優先度ソートを行って主導的に複数バッチに分けて送信してもよく、まず優先度の高いものを送信してもよく、端末装置は更に１バッチのルールを受信した毎に、ＰＣＦへ要求されるルールの識別子を送信してもよく、具体的に、ＰＣＦが初めて端末装置へルール１及びルール２を送信すれば、端末装置がＰＣＦへルール３及びルール４の識別子をフィードバックすることにより、ＰＣＦが再び端末装置へルール３及びルール４を送信してもよい。
【０１２７】
ＰＣＦはまず端末装置へルールの一部を送信して、残りのルールが含まれる識別子であってもよく、端末装置がルールの一部に基づいてユーザープレーンを確立した後、端末装置は残りのルールの識別子に基づいてユーザープレーンにおいて取得してもよい。更に、ＰＣＦは更に端末装置へ残りのルールが記憶されるサーバの識別子を送信してもよく、端末装置はルールの一部に基づいてユーザープレーンを確立した後、残りのルールの識別子に基づいてユーザープレーンに対応するサーバから残りのルールを取得することができるようになる。
【０１２８】
ＵＲＳＰポリシーを複数バッチに分けて取得することにより、ネットワーク負荷を効果的に軽減させ、通信柔軟性を向上させることができる。
【０１２９】
好ましくは、端末装置がユーザー装置ルート選択ポリシー（ＵＲＳＰ）における少なくとも１つのルールのうちの各ルールの識別子に基づき、それぞれ該少なくとも１つのルールを取得することは、該端末装置がネットワーク登録を実行するプロセスで、該端末装置が該少なくとも１つのルールのうちの各ルールの識別子に基づき、該少なくとも１つのルールを取得することを含む。
【０１３０】
図６は本願の実施例のデータ伝送方法６００のブロック図である。図６に示すように、該方法６００は以下の一部又は全部を含む。
【０１３１】
Ｓ６１０において、端末装置がネットワーク登録を実行するプロセスで、ネットワーク装置が複数のメッセージによって該端末装置へユーザー装置ルート選択ポリシー（ＵＲＳＰ）における複数のルールを送信する。
【０１３２】
従って、本願の実施例のデータ伝送方法によれば、ＵＲＳＰポリシーを複数バッチに分けて取得することにより、ネットワーク負荷を効果的に軽減させ、通信柔軟性を向上させることができる。
【０１３３】
好ましくは、該端末装置がネットワーク登録を実行するプロセスで、ネットワーク装置が複数のメッセージによって該端末装置へユーザー装置ルート選択ポリシー（ＵＲＳＰ）における複数のルールを送信することは、端末装置がネットワーク登録を実行するプロセスで、該ネットワーク装置が該複数のルールの優先度に基づき、順にコントロールプレーンの複数のメッセージによって該端末装置へ該複数のルールを送信することを含む。
【０１３４】
好ましくは、該ネットワーク装置がポリシー制御機能（ＰＣＦ）である。
【０１３５】
図７は本願の実施例のデータ伝送方法７００のブロック図である。図７に示すように、該方法７００は以下の一部又は全部を含む。
【０１３６】
Ｓ７１０において、該端末装置が該第２ルールに対応する第２のＰＤＵセッションを確立した後、該第１ルールの識別子に基づき、ユーザープレーンによって該第１ルールを取得するように、端末装置がネットワーク登録を実行するプロセスで、ネットワーク装置が該端末装置へユーザー装置ルート選択ポリシー（ＵＲＳＰ）における第１ルール以外の第２ルール及び該第１ルールの識別子を送信する。
【０１３７】
本願の実施例のデータ伝送方法によれば、ＵＲＳＰポリシーを複数バッチに分けて取得することにより、ネットワーク負荷を効果的に軽減させ、通信柔軟性を向上させることができる。
【０１３８】
好ましくは、該方法は、更に、該端末装置が該第２ルールに対応する第２のＰＤＵセッションを確立した後、該第１ルールの識別子及び該サーバの識別子に基づき、ユーザープレーンによって該第１ルールを取得するように、該ネットワーク装置が該端末装置へサーバの識別子を送信することを含む。
【０１３９】
好ましくは、該ネットワーク装置がポリシー制御機能（ＰＣＦ）である。
【０１４０】
理解すべきものは、ネットワーク装置に説明されるネットワーク装置と端末装置との相互作用及び関連特性、機能等は端末装置の関連特性、機能に対応する。且つ、関連内容は上記方法６００において既に詳しく説明されたため、簡潔のため、ここで詳細な説明は省略する。
【０１４１】
更に理解すべきものは、本願の様々な実施例では、上記各過程の番号の順位は実行順序の前後を意味せず、各過程の実行順序はその機能及び内部論理によって決定されるべきであり、本願の実施例の実施過程を制限するためのものではない。
【０１４２】
以上は本願の実施例に係るデータ伝送方法を詳しく説明したが、以下に図８〜図１７を参照しながら、本願の実施例に係るデータ伝送装置を説明し、方法実施例に説明される技術的特徴は以下の装置実施例に適用される。
【０１４３】
図８は本願の実施例の端末装置８００のブロック図である。図８に示すように、該端末装置８００は、
第１のプロトコルデータユニット（ＰＤＵ）セッションにおいてＮ個のデータフローのセッション確立を要求するための第１要求メッセージをネットワーク装置に送信するように構成される送信ユニット８１０と、
該ネットワーク装置から送信された、該ネットワーク装置が該第１のＰＤＵセッションにおいて該Ｎ個のデータフローのうちのＭ個のデータフローのセッション確立を行うことを拒絶したことを示すための該第１要求メッセージの応答メッセージを受信するように構成される受信ユニット８２０であって、ＮとＭがいずれも正の整数であって、ＮがＭ以上である受信ユニット８２０と、を備える。
【０１４４】
従って、本願の実施例の端末装置によれば、ネットワーク装置のフィードバックしたセッション確立状況を受信することにより、端末装置がセッション確立ポリシーを直ちに調整することができ、それにより通信システムの性能の向上に役立つ。
【０１４５】
好ましくは、該応答メッセージには該第１のＰＤＵセッションが該Ｍ個のデータフローをサポートしないことを示すための拒絶理由値が含まれる。
【０１４６】
好ましくは、該応答メッセージには該Ｍ個のデータフローのうちの各データフローの識別子が含まれる。
【０１４７】
好ましくは、該送信ユニットは、更に、該応答メッセージに応答して、第２のＰＤＵセッションにおいて該Ｍ個のデータフローのうちの少なくとも１つのデータフローのセッション確立を要求するための第２要求メッセージを該ネットワーク装置に送信することに用いられる。
【０１４８】
好ましくは、該第１要求メッセージに該第１のＰＤＵセッションの識別子が含まれ、該第２要求メッセージに該第２のＰＤＵセッションの識別子が含まれ、該第２のＰＤＵセッションが該第１のＰＤＵセッションの識別子を調整した後の該第１のＰＤＵセッションである。
【０１４９】
好ましくは、該端末装置が該応答メッセージに応答する前に、該端末装置は、更に、該Ｍ個のデータフローに基づき、該第１のＰＤＵセッションではない該第２のＰＤＵセッションの確立パラメータを調整するように構成される処理ユニットを備える。
【０１５０】
好ましくは、該応答メッセージに該第２のＰＤＵセッションの識別子が含まれる。
【０１５１】
好ましくは、該ネットワーク装置がセッション管理機能（ＳＭＦ）装置である。
【０１５２】
理解すべきものは、本願の実施例に係る端末装置８００は本願の方法実施例における端末装置に対応してもよく、且つ端末装置８００における各ユニットの上記及び他の操作及び／又は機能はそれぞれ図２及び図３における方法における端末装置の対応プロセスを実現するためのものであり、簡潔のため、ここで詳細な説明は省略する。
【０１５３】
図９は本願の実施例のネットワーク装置９００のブロック図である。図９に示すように、該ネットワーク装置９００は、
端末装置から送信された、第１のプロトコルデータユニット（ＰＤＵ）セッションにおいてＮ個のデータフローのセッション確立を要求するための第１要求メッセージを受信するように構成される受信ユニット９１０と、
該ネットワーク装置が該第１のＰＤＵセッションにおいて該Ｎ個のデータフローのうちのＭ個のデータフローのセッション確立を行うことを拒絶したことを示すための該第１要求メッセージの応答メッセージを該端末装置に送信するように構成される送信ユニット９２０であって、ＮとＭがいずれも正の整数であって、ＮがＭ以上である送信ユニット９２０と、を備える。
【０１５４】
従って、本願の実施例のネットワーク装置によれば、端末装置へセッション確立状況をフィードバックすることにより、端末装置がセッション確立ポリシーを直ちに調整することができ、それにより通信システムの性能の向上に役立つ。
【０１５５】
好ましくは、該応答メッセージには該第１のＰＤＵセッションが該Ｍ個のデータフローをサポートしないことを示すための拒絶理由値が含まれる。
【０１５６】
好ましくは、該応答メッセージには該Ｍ個のデータフローのうちの各データフローの識別子が含まれる。
【０１５７】
好ましくは、該受信ユニットは、更に、該端末装置から送信された、第２のＰＤＵセッションにおいて該Ｍ個のデータフローのうちの少なくとも１つのデータフローのセッション確立を要求するための第２要求メッセージを受信することに用いられる。
【０１５８】
好ましくは、該応答メッセージには該ネットワーク装置の提案する該第１のＰＤＵセッションではない該第２のＰＤＵセッションの識別子が含まれる。
【０１５９】
好ましくは、該ネットワーク装置がセッション管理機能（ＳＭＦ）装置であり、該ネットワーク装置は、更に、該第１要求メッセージに基づき、アクセスネットワーク装置が該第１のＰＤＵセッションにおいて該Ｎ個のデータフローのセッション確立を行うようにトリガーするように構成される処理ユニットと、更に、該アクセスネットワーク装置から送信された該第１のＰＤＵセッションに対応するデータフローリストを受信するように構成され、該データフローリストが該Ｍ個のデータフロー又は該第１のＰＤＵセッションにより受信した該Ｎ個のデータフローのうちの（Ｎ−Ｍ）個のデータフローを含む該受信ユニットと、を備える。
【０１６０】
理解すべきものは、本願の実施例に係るネットワーク装置９００は本願の方法実施例におけるネットワーク装置に対応してもよく、且つ、ネットワーク装置９００における各ユニットの上記及び他の操作及び／又は機能はそれぞれ図４における方法におけるネットワーク装置の対応プロセスを実現するためのものであり、簡潔のため、ここで詳細な説明は省略する。
【０１６１】
図１０は本願の実施例の端末装置１０００のブロック図である。図１０に示すように、該端末装置１０００は、
ユーザー装置ルート選択ポリシー（ＵＲＳＰ）における少なくとも１つのルールのうちの各ルールの識別子に基づき、それぞれ該少なくとも１つのルールを取得するように構成される処理ユニット１１００を備える。
【０１６２】
該処理ユニット１１００は、更に、該少なくとも１つのルールに基づき、それぞれネットワーク装置への該少なくとも１つのルールに１対１に対応する少なくとも１つのプロトコルデータユニット（ＰＤＵ）セッションの確立又は修正を開始することに用いられる。
【０１６３】
本願の実施例の端末装置によれば、ネットワーク装置がすべてのルールを１回で端末装置に送信することなく、ルール識別子に基づいてあるルールを取得することができ、ネットワーク装置の負荷を軽減して、通信柔軟性を向上させる。
【０１６４】
好ましくは、該少なくとも１つのルールが複数のルールであり、該処理ユニットは、具体的に、該複数のルールの優先度に基づき、順に該ネットワーク装置への該複数のＰＤＵセッションの確立又は修正を開始することに用いられる。
【０１６５】
好ましくは、該少なくとも１つのルールのうちの第１ルールは無線アクセス技術（ＲＡＴ）、セッション及びサービス継続性モード、単一のネットワークスライス選択補助情報（Ｓ−ＮＳＳＡＩ）、分散タイプ、データネットワーク名（ＤＮＮ）並びにデータフローフィルタのうちの少なくとも１つを含む。
【０１６６】
好ましくは、該少なくとも１つのパラメータのうちの第１パラメータは優先度を特徴づける複数の値を含み、該処理ユニットは、具体的に、該複数の値の優先度に基づき、該ネットワーク装置への第１のＰＤＵセッションの確立又は修正を開始することに用いられる。
【０１６７】
好ましくは、該処理ユニットは、更に、該第１ルールに基づき、該ネットワーク装置が該第１のＰＤＵセッションにおいてＮ個のデータフローのセッション確立を要求するための第１要求メッセージを該ネットワーク装置に送信することに用いられ、該処理ユニットが該第１ルールに基づき、該ネットワーク装置への第１のＰＤＵセッションの確立又は修正を開始した後、該端末装置は、更に、該ネットワーク装置から送信された、該ネットワーク装置が該第１のＰＤＵセッションにおいて該Ｎ個のデータフローのうちのＭ個のデータフローのセッション確立を行うことを拒絶したことを示すための該第１要求メッセージの応答メッセージを受信するように構成される受信ユニットであって、ＮとＭがいずれも正の整数であって、ＮがＭ以上である受信ユニットを備える。
【０１６８】
好ましくは、該応答メッセージには、ＰＤＵセッションがサポートされない、ＲＡＴアクセスが許可されない、セッション又はサービス継続性モードが満足されない、Ｓ−ＮＳＳＡＩがエラーになる、ＤＮＮがサポートされない及びＰＤＵセッション識別子が識別されない状況のうちの少なくとも１つを示すための拒絶理由値が含まれる。
【０１６９】
好ましくは、該端末装置は、更に、該応答メッセージに応答して、該拒絶理由値に対応する該第１ルールにおけるパラメータの値を調整するように構成される該処理ユニットと、調整後の該第１ルールに基づき、該ネットワーク装置が第１のＰＤＵセッションにおいて該Ｍ個のデータフローのうちの少なくとも１つのデータフローのセッション確立を要求するための第２要求メッセージを該ネットワーク装置に送信するように構成される送信ユニットと、を更に備える。
【０１７０】
好ましくは、該拒絶理由値に対応する該第１ルールのパラメータは優先度を特徴づける複数の値を含み、該処理ユニットは、更に、該応答メッセージに応答して、該拒絶理由値に対応する該第１のＵＲＳＰのパラメータの値を優先度の前回第１のＰＤＵセッション確立を開始したものより高い値に調整することに用いられる。
【０１７１】
好ましくは、該応答メッセージには該ネットワーク装置の提案する該拒絶理由値に対応する該第１ルールのパラメータの値が含まれ、該処理ユニットが該応答メッセージに応答して、該拒絶理由値に対応する該第１のＵＲＳＰのパラメータの値を調整することは、該処理ユニットが該拒絶理由値に対応する該第１ルールのパラメータの値を該ネットワーク装置の提案する該拒絶理由値に対応する該第１ルールのパラメータの値に調整することを含む。
【０１７２】
好ましくは、該端末装置は、更に、該ネットワーク装置から送信された該ＵＲＳＰにおける該少なくとも１つのルールのうちの第１ルール以外の第２ルール及び該第１ルールの識別子を受信するように構成される受信ユニットを備え、該処理ユニットが第１ルールの識別子に基づき、該第１ルールを取得することは、
該処理ユニットが該第２ルールに対応する第２のＰＤＵセッションを確立した後、該第１ルールの識別子に基づき、ユーザープレーンによって該第１ルールを取得し、又は該処理ユニットが該第１ルールの識別子に基づき、該ネットワーク装置がコントロールプレーンによって該第１ルールを送信するようにトリガーすることを含む。
【０１７３】
好ましくは、該受信ユニットは、更に、サーバの識別子を受信することに用いられ、該処理ユニットが該第２ルールに対応する第２のＰＤＵセッションを確立した後、該第１ルールの識別子に基づき、ユーザープレーンによって該第１ルールを取得することは、該処理ユニットが該第２ルールに対応する第２のＰＤＵセッションを確立した後、該第１ルールの識別子及び該サーバの識別子に基づき、ユーザープレーンによって該第１ルールを取得することを含む。
【０１７４】
好ましくは、該第２ルールの優先度が該第１ルールの優先度より高い。
【０１７５】
好ましくは、該処理ユニットがユーザー装置ルート選択ポリシー（ＵＲＳＰ）における少なくとも１つのルールのうちの各ルールの識別子に基づき、それぞれ該少なくとも１つのルールを取得することは、該端末装置がネットワーク登録を実行するプロセスで、該処理ユニットが該少なくとも１つのルールのうちの各ルールの識別子に基づき、該少なくとも１つのルールを取得することを含む。
【０１７６】
理解すべきものは、本願の実施例に係る端末装置１０００は本願の方法実施例における端末装置に対応してもよく、且つ、端末装置１０００における各ユニットの上記及び他の操作及び／又は機能はそれぞれ図５における方法における端末装置の対応プロセスを実現するためのものであり、簡潔のため、ここで詳細な説明は省略する。
【０１７７】
図１１は本願の実施例のネットワーク装置２０００のブロック図である。図１１に示すように、該ネットワーク装置２０００は、
端末装置がネットワーク登録を実行するプロセスで、複数のメッセージによって該端末装置へユーザー装置ルート選択ポリシー（ＵＲＳＰ）における複数のルールを送信するように構成される送信ユニット２１００を備える。
【０１７８】
従って、本願の実施例のネットワーク装置によれば、ＵＲＳＰポリシーを複数バッチに分けて取得することにより、ネットワーク負荷を効果的に軽減させ、通信柔軟性を向上させることができる。
【０１７９】
好ましくは、該端末装置がネットワーク登録を実行するプロセスで、該処理ユニットは、具体的に、端末装置がネットワーク登録を実行するプロセスで、該複数のルールの優先度に基づき、順にコントロールプレーンの複数のメッセージによって該端末装置へ該複数のルールを送信することに用いられる。
【０１８０】
好ましくは、該ネットワーク装置がポリシー制御機能（ＰＣＦ）である。
【０１８１】
理解すべきものは、本願の実施例に係るネットワーク装置２０００は本願の方法実施例における端末装置に対応してもよく、且つ、ネットワーク装置２０００における各ユニットの上記及び他の操作及び／又は機能はそれぞれ図６における方法における端末装置の対応プロセスを実現するためのものであり、簡潔のため、ここで詳細な説明は省略する。
【０１８２】
図１２は本願の実施例のネットワーク装置３０００のブロック図である。図１２に示すように、該ネットワーク装置３０００は、
該端末装置が該第２ルールに対応する第２のＰＤＵセッションを確立した後、該第１ルールの識別子に基づき、ユーザープレーンによって該第１ルールを取得するように、端末装置がネットワーク登録を実行するプロセスで、該端末装置へユーザー装置ルート選択ポリシー（ＵＲＳＰ）における第１ルール以外の第２ルール及び該第１ルールの識別子を送信するように構成される送信ユニット３１００を備える。
【０１８３】
従って、本願の実施例のネットワーク装置によれば、ＵＲＳＰポリシーを複数バッチに分けて取得することにより、ネットワーク負荷を効果的に軽減させ、通信柔軟性を向上させることができる。
【０１８４】
好ましくは、該送信ユニットは、更に、該端末装置が該第２ルールに対応する第２のＰＤＵセッションを確立した後、該第１ルールの識別子及び該サーバの識別子に基づき、ユーザープレーンによって該第１ルールを取得するように、該端末装置へサーバの識別子を送信することに用いられる。
【０１８５】
好ましくは、該ネットワーク装置がポリシー制御機能（ＰＣＦ）である。
【０１８６】
理解すべきものは、本願の実施例に係るネットワーク装置３０００は本願の方法実施例における端末装置に対応してもよく、且つ、ネットワーク装置３０００における各ユニットの上記及び他の操作及び／又は機能はそれぞれ図７における方法における端末装置の対応プロセスを実現するためのものであり、簡潔のため、ここで詳細な説明は省略する。
【０１８７】
図１３に示すように、本願の実施例は更に端末装置４０００を提供し、該端末装置４０００は図２における方法２００に対応する端末装置の内容を実行できる図８における端末装置８００であってもよい。該端末装置４０００は入力インターフェース４０１０、出力インターフェース４０２０、プロセッサ４０３０及びメモリ４０４０を備え、該入力インターフェース４０１０、出力インターフェース４０２０、プロセッサ４０３０及びメモリ４０４０はバスシステムによって接続されてもよい。該メモリ４０４０はプログラム、命令又はコードを記憶することに用いられる。入力インターフェース４０１０が信号を受信し、出力インターフェース４０２０が信号を送信するように制御し及び上記方法実施例における操作を完了するように、該プロセッサ４０３０は該メモリ４０４０におけるプログラム、命令又はコードを実行することに用いられる。
【０１８８】
従って、本願の実施例の端末装置によれば、ネットワーク装置のフィードバックしたセッション確立状況を受信することにより、端末装置がセッション確立ポリシーを直ちに調整することができ、それにより通信システムの性能の向上に役立つ。
【０１８９】
理解すべきものは、本願の実施例では、該プロセッサ４０３０は中央処理装置（ＣＰＵ：Ｃｅｎｔｒａｌ  Ｐｒｏｃｅｓｓｉｎｇ  Ｕｎｉｔ）であってもよく、該プロセッサ４０３０は更に他の汎用プロセッサ、デジタルシグナルプロセッサ、特定用途向け集積回路、フィールドプログラマブルゲートアレイ又は他のプログラマブルロジックデバイス、個別ゲート又はトランジスタロジックデバイス、個別ハードウェアコンポーネント等であってもよい。汎用プロセッサはマイクロプロセッサであってもよく、又は該プロセッサはいかなる通常のプロセッサ等であってもよい。
【０１９０】
該メモリ４０４０は読み出し専用メモリ及びランダムアクセスメモリを含んでもよく、且つプロセッサ４０３０に命令及びデータを提供する。メモリ４０４０の一部は更に不揮発性ランダムアクセスメモリを含んでもよい。例えば、メモリ４０４０に更に装置タイプの情報が記憶されてもよい。
【０１９１】
実現過程において、上記方法の各内容はプロセッサ４０３０におけるハードウェアの集積論理回路又はソフトウェア形式の命令で行われてもよい。本願の実施例に開示される方法の内容はハードウェアプロセッサで実行して完成し、又はプロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ４０４０に位置し、プロセッサ４０３０はメモリ４０４０における情報を読み取り、そのハードウェアと組み合わせて上記方法の内容を行う。重複を避けるため、ここで詳細な説明は省略する。
【０１９２】
具体的な実施形態では、端末装置８００における送信ユニットは図１３における出力インターフェース４０２０により実現されてもよく、端末装置８００における受信ユニットは図１３における入力インターフェース４０１０により実現されてもよい。
【０１９３】
図１４に示すように、本願の実施例は更にネットワーク装置５０００を提供し、該ネットワーク装置５０００は図４における方法４００に対応するネットワーク装置の内容を実行できる図９におけるネットワーク装置９００であってもよい。該ネットワーク装置５０００は入力インターフェース５０１０、出力インターフェース５０２０、プロセッサ５０３０及びメモリ５０４０を備え、該入力インターフェース５０１０、出力インターフェース５０２０、プロセッサ５０３０及びメモリ５０４０はバスシステムによって接続されてもよい。該メモリ５０４０はプログラム、命令又はコードを記憶することに用いられる。入力インターフェース５０１０が信号を受信し、出力インターフェース５０２０が信号を送信するように制御し及び上記方法実施例における操作を完了するように、該プロセッサ５０３０は該メモリ５０４０におけるプログラム、命令又はコードを実行することに用いられる。
【０１９４】
従って、本願の実施例のネットワーク装置によれば、端末装置へセッション確立状況をフィードバックすることにより、端末装置がセッション確立ポリシーを直ちに調整することができ、それにより通信システムの性能の向上に役立つ。
【０１９５】
理解すべきものは、本願の実施例では、該プロセッサ５０３０は中央処理装置（ＣＰＵ：Ｃｅｎｔｒａｌ  Ｐｒｏｃｅｓｓｉｎｇ  Ｕｎｉｔ）であってもよく、該プロセッサ５０３０は更に他の汎用プロセッサ、デジタルシグナルプロセッサ、特定用途向け集積回路、フィールドプログラマブルゲートアレイ又は他のプログラマブルロジックデバイス、個別ゲート又はトランジスタロジックデバイス、個別ハードウェアコンポーネント等であってもよい。汎用プロセッサはマイクロプロセッサであってもよく、又は該プロセッサはいかなる通常のプロセッサ等であってもよい。
【０１９６】
該メモリ５０４０は読み出し専用メモリ及びランダムアクセスメモリを含んでもよく、且つプロセッサ５０３０に命令及びデータを提供する。メモリ５０４０の一部は更に不揮発性ランダムアクセスメモリを含んでもよい。例えば、メモリ５０４０に更に装置タイプの情報が記憶されてもよい。
【０１９７】
実現過程において、上記方法の各内容はプロセッサ５０３０におけるハードウェアの集積論理回路又はソフトウェア形式の命令で行われてもよい。本願の実施例に開示される方法の内容はハードウェアプロセッサで実行して完成し、又はプロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ５０４０に位置し、プロセッサ５０３０はメモリ５０４０における情報を読み取り、そのハードウェアと組み合わせて上記方法の内容を行う。重複を避けるため、ここで詳細な説明は省略する。
【０１９８】
具体的な実施形態では、ネットワーク装置９００における送信ユニットは図１４における出力インターフェース５０２０により実現されてもよく、ネットワーク装置９００における受信ユニットは図１４における入力インターフェース５０１０により実現されてもよい。
【０１９９】
図１５に示すように、本願の実施例は更に端末装置６０００を提供し、該端末装置６０００は図５における方法５００に対応する端末装置の内容を実行できる図１０における端末装置１０００であってもよい。該端末装置６０００は入力インターフェース６０１０、出力インターフェース６０２０、プロセッサ６０３０及びメモリ６０４０を備え、該入力インターフェース６０１０、出力インターフェース６０２０、プロセッサ６０３０及びメモリ６０４０はバスシステムによって接続されてもよい。該メモリ６０４０はプログラム、命令又はコードを記憶することに用いられる。入力インターフェース６０１０が信号を受信し、出力インターフェース６０２０が信号を送信するように制御し及び上記方法実施例における操作を完了するように、該プロセッサ６０３０は該メモリ６０４０におけるプログラム、命令又はコードを実行することに用いられる。
【０２００】
従って、本願の実施例の端末装置によれば、ネットワーク装置がすべてのルールを１回で端末装置に送信することなく、ルール識別子に基づいてあるルールを取得することができ、ネットワーク装置の負荷を軽減して、通信柔軟性を向上させる。
【０２０１】
理解すべきものは、本願の実施例では、該プロセッサ６０３０は中央処理装置（ＣＰＵ：Ｃｅｎｔｒａｌ  Ｐｒｏｃｅｓｓｉｎｇ  Ｕｎｉｔ）であってもよく、該プロセッサ６０３０は更に他の汎用プロセッサ、デジタルシグナルプロセッサ、特定用途向け集積回路、フィールドプログラマブルゲートアレイ又は他のプログラマブルロジックデバイス、個別ゲート又はトランジスタロジックデバイス、個別ハードウェアコンポーネント等であってもよい。汎用プロセッサはマイクロプロセッサであってもよく、又は該プロセッサはいかなる通常のプロセッサ等であってもよい。
【０２０２】
該メモリ６０４０は読み出し専用メモリ及びランダムアクセスメモリを含んでもよく、且つプロセッサ６０３０に命令及びデータを提供する。メモリ６０４０の一部は更に不揮発性ランダムアクセスメモリを含んでもよい。例えば、メモリ６０４０に更に装置タイプの情報が記憶されてもよい。
【０２０３】
実現過程において、上記方法の各内容はプロセッサ６０３０におけるハードウェアの集積論理回路又はソフトウェア形式の命令で行われてもよい。本願の実施例に開示される方法の内容はハードウェアプロセッサで実行して完成し、又はプロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ６０４０に位置し、プロセッサ６０３０はメモリ６０４０における情報を読み取り、そのハードウェアと組み合わせて上記方法の内容を行う。重複を避けるため、ここで詳細な説明は省略する。
【０２０４】
具体的な実施形態では、端末装置１０００における処理ユニットは図１５におけるプロセッサ６０３０により実現されてもよい。
【０２０５】
図１６に示すように、本願の実施例は更にネットワーク装置７０００を提供し、該ネットワーク装置７０００は図６における方法６００に対応するネットワーク装置の内容を実行できる図１１におけるネットワーク装置２０００であってもよい。該ネットワーク装置７０００は入力インターフェース７０１０、出力インターフェース７０２０、プロセッサ７０３０及びメモリ７０４０を備え、該入力インターフェース７０１０、出力インターフェース７０２０、プロセッサ７０３０及びメモリ７０４０はバスシステムによって接続されてもよい。該メモリ７０４０はプログラム、命令又はコードを記憶することに用いられる。入力インターフェース７０１０が信号を受信し、出力インターフェース７０２０が信号を送信するように制御し及び上記方法実施例における操作を完了するように、該プロセッサ７０３０は該メモリ７０４０におけるプログラム、命令又はコードを実行することに用いられる。
【０２０６】
従って、本願の実施例のネットワーク装置によれば、ＵＲＳＰポリシーを複数バッチに分けて取得することにより、ネットワーク負荷を効果的に軽減させ、通信柔軟性を向上させることができる。
【０２０７】
理解すべきものは、本願の実施例では、該プロセッサ７０３０は中央処理装置（ＣＰＵ：Ｃｅｎｔｒａｌ  Ｐｒｏｃｅｓｓｉｎｇ  Ｕｎｉｔ）であってもよく、該プロセッサ７０３０は更に他の汎用プロセッサ、デジタルシグナルプロセッサ、特定用途向け集積回路、フィールドプログラマブルゲートアレイ又は他のプログラマブルロジックデバイス、個別ゲート又はトランジスタロジックデバイス、個別ハードウェアコンポーネント等であってもよい。汎用プロセッサはマイクロプロセッサであってもよく、又は該プロセッサはいかなる通常のプロセッサ等であってもよい。
【０２０８】
該メモリ７０４０は読み出し専用メモリ及びランダムアクセスメモリを含んでもよく、且つプロセッサ７０３０に命令及びデータを提供する。メモリ７０４０の一部は更に不揮発性ランダムアクセスメモリを含んでもよい。例えば、メモリ７０４０に更に装置タイプの情報が記憶されてもよい。
【０２０９】
実現過程において、上記方法の各内容はプロセッサ７０３０におけるハードウェアの集積論理回路又はソフトウェア形式の命令で行われてもよい。本願の実施例に開示される方法の内容はハードウェアプロセッサで実行して完成し、又はプロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ７０４０に位置し、プロセッサ７０３０はメモリ７０４０における情報を読み取り、そのハードウェアと組み合わせて上記方法の内容を行う。重複を避けるため、ここで詳細な説明は省略する。
【０２１０】
具体的な実施形態では、ネットワーク装置２０００における送信ユニットは図１６における出力インターフェース７０２０により実現されてもよい。
【０２１１】
図１７に示すように、本願の実施例は更にネットワーク装置８０００を提供し、該ネットワーク装置８０００は図７における方法７００に対応するネットワーク装置の内容を実行できる図１２におけるネットワーク装置３０００であってもよい。該ネットワーク装置８０００は入力インターフェース８０１０、出力インターフェース８０２０、プロセッサ８０３０及びメモリ８０４０を備え、該入力インターフェース８０１０、出力インターフェース８０２０、プロセッサ８０３０及びメモリ８０４０はバスシステムによって接続されてもよい。該メモリ８０４０はプログラム、命令又はコードを記憶することに用いられる。入力インターフェース８０１０が信号を受信し、出力インターフェース８０２０が信号を送信するように制御し及び上記方法実施例における操作を完了するように、該プロセッサ８０３０は該メモリ８０４０におけるプログラム、命令又はコードを実行することに用いられる。
【０２１２】
従って、本願の実施例のネットワーク装置によれば、ＵＲＳＰポリシーを複数バッチに分けて取得することにより、ネットワーク負荷を効果的に軽減させ、通信柔軟性を向上させることができる。
【０２１３】
理解すべきものは、本願の実施例では、該プロセッサ８０３０は中央処理装置（ＣＰＵ：Ｃｅｎｔｒａｌ  Ｐｒｏｃｅｓｓｉｎｇ  Ｕｎｉｔ）であってもよく、該プロセッサ８０３０は更に他の汎用プロセッサ、デジタルシグナルプロセッサ、特定用途向け集積回路、フィールドプログラマブルゲートアレイ又は他のプログラマブルロジックデバイス、個別ゲート又はトランジスタロジックデバイス、個別ハードウェアコンポーネント等であってもよい。汎用プロセッサはマイクロプロセッサであってもよく、又は該プロセッサはいかなる通常のプロセッサ等であってもよい。
【０２１４】
該メモリ８０４０は読み出し専用メモリ及びランダムアクセスメモリを含んでもよく、且つプロセッサ８０３０に命令及びデータを提供する。メモリ８０４０の一部は更に不揮発性ランダムアクセスメモリを含んでもよい。例えば、メモリ８０４０に更に装置タイプの情報が記憶されてもよい。
【０２１５】
実現過程において、上記方法の各内容はプロセッサ８０３０におけるハードウェアの集積論理回路又はソフトウェア形式の命令で行われてもよい。本願の実施例に開示される方法の内容はハードウェアプロセッサで実行して完成し、又はプロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ８０４０に位置し、プロセッサ８０３０はメモリ８０４０における情報を読み取り、そのハードウェアと組み合わせて上記方法の内容を行う。重複を避けるため、ここで詳細な説明は省略する。
【０２１６】
具体的な実施形態では、ネットワーク装置３０００における送信ユニットは図１７における出力インターフェース８０２０により実現されてもよい。
【０２１７】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０２１８】
当業者であれば明確に理解できるように、説明を容易且つ簡単にするために、上記説明されるシステム、装置及びユニットの具体的な動作過程は、前述の方法実施例における対応過程を参照してもよく、ここで詳細な説明は省略する。
【０２１９】
本願に係るいくつかの実施例において、理解すべきものは、開示されるシステム、装置及び方法は他の方式で実現されてもよい。例えば、以上に説明される装置実施例は模式的なものに過ぎず、例えば、該ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０２２０】
分離部材として説明される該ユニットは物理的に分離してもよく、物理的に分離しなくてもよく、ユニットとして表示される部材は物理ユニットであってもよく、物理ユニットでなくてもよく、つまり、一箇所に位置してもよく、複数のネットワークユニットに配置されてもよい。実際の必要に応じて、その一部又は全部のユニットを選択して本実施例案の目的を実現してもよい。
【０２２１】
また、本願の各実施例では、各機能ユニットは１つの処理ユニットに統合されてもよく、各ユニットは独立して物理的に存在してもよく、２つ又は２つ以上のユニットは１つのユニットに統合されてもよい。
【０２２２】
該機能はソフトウェア機能ユニットの形式で実現され、独立した製品として販売又は使用されるときは、１つのコンピュータ可読記憶媒体に記憶されてもよい。このような理解に基づき、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等）に本願の各実施例の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０２２３】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2021502731.tif 000003
【図２】
2021502731.tif 000004
【図３】
2021502731.tif 000005
【図４】
2021502731.tif 000006
【図５】
2021502731.tif 000007
【図６】
2021502731.tif 000008
【図７】
2021502731.tif 000009
【図８】
2021502731.tif 000010
【図９】
2021502731.tif 000011
【図１０】
2021502731.tif 000012
【図１１】
2021502731.tif 000013
【図１２】
2021502731.tif 000014
【図１３】
2021502731.tif 000015
【図１４】
2021502731.tif 000016
【図１５】
2021502731.tif 000017
【図１６】
2021502731.tif 000018
【図１７】
2021502731.tif 000019
【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
データ伝送方法であって、
端末装置がユーザー装置ルート選択ポリシー（ＵＲＳＰ）における少なくとも１つのルールのうちの第１ルールに基づき、ネットワーク装置への第１のプロトコルデータユニット（ＰＤＵ）セッションの確立又は修正を開始することを含むことを特徴とする、前記データ伝送方法。
【請求項２】
前記少なくとも１つのルールのそれぞれが、優先度を有し、識別子を含み、前記識別子は、前記端末装置が前記識別子に従って対応するルールを取得することに用いられることを特徴とする
請求項１に記載のデータ伝送方法。
【請求項３】
前記少なくとも１つのルールのうちの前記第１ルールは無線アクセス技術（ＲＡＴ）、セッション及びサービス継続性モード、単一のネットワークスライス選択補助情報（Ｓ−ＮＳＳＡＩ）、分散タイプ並びにデータネットワーク名（ＤＮＮ）のうちの少なくとも１つを含むことを特徴とする
請求項１又は２に記載のデータ伝送方法。
【請求項４】
前記端末装置が前記少なくとも１つのルールのうちの前記第１ルールに基づき、前記ネットワーク装置への前記第１のプロトコルデータユニット（ＰＤＵ）セッションの確立又は修正を開始することは、
前記端末装置が前記第１ルールに基づき、前記ネットワーク装置が前記第１のＰＤＵセッションにおいてＮ個のデータフローのセッション確立を行うように要求するための第１要求メッセージを前記ネットワーク装置に送信することを含み、
前記端末装置が前記第１ルールに基づき、前記ネットワーク装置への第１のＰＤＵセッションの確立又は修正を開始した後、前記データ伝送方法は、更に、
前記端末装置が前記ネットワーク装置から送信された、前記ネットワーク装置が前記第１のＰＤＵセッションにおいてデータフローのセッション確立を行うことを拒絶したことを示すための前記第１要求メッセージの応答メッセージを受信することを含むことを特徴とする
請求項１〜３のいずれか１項に記載のデータ伝送方法。
【請求項５】
前記応答メッセージには、ＰＤＵセッションがサポートされない、ＲＡＴアクセスが許可されない、セッション又はサービス継続性モードが満足されない、Ｓ−ＮＳＳＡＩがエラーになる、ＤＮＮがサポートされない及びＰＤＵセッション識別子が識別されない状況のうちの少なくとも１つを示すための拒絶理由値が含まれることを特徴とする
請求項４に記載のデータ伝送方法。
【請求項６】
前記データ伝送方法は、更に、
前記端末装置が前記応答メッセージに応答して、前記拒絶理由値に対応する前記第１ルールにおけるパラメータの値を調整することと、
前記端末装置が調整後の前記第１ルールにおけるパラメータの値に基づき、ＰＤＵセッションを確立するための第２要求メッセージを前記ネットワーク装置に送信することと、を含むことを特徴とする
請求項５に記載のデータ伝送方法。
【請求項７】
前記データ伝送方法は、更に、
前記端末装置がコントロールプレーンを介してポリシー制御機能（ＰＣＦ）から少なくとも1つのルールを含むＵＲＳＰのセグメンテーションを受信することを含むことを特徴とする
請求項１〜６のいずれか１項に記載のデータ伝送方法。
【請求項８】
前記端末装置がコントロールプレーンを介してポリシー制御機能（ＰＣＦ）から少なくとも1つのルールを含むＵＲＳＰのセグメンテーションを受信することは、
前記ＰＣＦが前記少なくとも1つのルールをグループ化した後、前記ＰＣＦからのメッセージを介して１組のルールを受信すること、又は、
前記少なくとも1つのルールの優先度に従って前記少なくとも1つのルールを主導的に送信するＰＣＦから、少なくとも1つのルールを含むＵＲＳＰのセグメンテーションを受信することを含むことを特徴とする
請求項７に記載のデータ伝送方法。
【請求項９】
端末装置であって、
ユーザー装置ルート選択ポリシー（ＵＲＳＰ）における少なくとも１つのルールのうちの第１ルールに基づき、ネットワーク装置への第１のプロトコルデータユニット（ＰＤＵ）セッションの確立又は修正を開始するように構成される処理ユニットを備えることを特徴とする、前記端末装置。
【請求項１０】
前記少なくとも１つのルールのそれぞれが、優先度を有し、識別子を含み、前記識別子は、前記端末装置が前記識別子に従って対応するルールを取得することに用いられることを特徴とする
請求項９に記載の端末装置。
【請求項１１】
前記処理ユニットは、更に、前記第１ルールに基づき、前記ネットワーク装置が前記第１のＰＤＵセッションにおいてＮ個のデータフローのセッション確立を要求するための第１要求メッセージを前記ネットワーク装置に送信することに用いられ、
前記処理ユニットが前記第１ルールに基づき、前記ネットワーク装置への第１のＰＤＵセッションの確立又は修正を開始した後、前記端末装置は、更に、
前記ネットワーク装置から送信された、前記ネットワーク装置が前記第１のＰＤＵセッションにおいてデータフローのセッション確立を行うことを拒絶したことを示すための前記第１要求メッセージの応答メッセージを受信するように構成される受信ユニットを備えることを特徴とする
請求項９又は１０に記載の端末装置。
【請求項１２】
前記応答メッセージには、ＰＤＵセッションがサポートされない、ＲＡＴアクセスが許可されない、セッション又はサービス継続性モードが満足されない、Ｓ−ＮＳＳＡＩがエラーになる、ＤＮＮがサポートされない及びＰＤＵセッション識別子が識別されない状況のうちの少なくとも１つを示すための拒絶理由値が含まれることを特徴とする
請求項１１に記載の端末装置。
【請求項１３】
前記端末装置は、更に、送信ユニットを備え、
前記処理ユニットは更に、前記応答メッセージに応答して、前記拒絶理由値に対応する前記第１ルールにおけるパラメータの値を調整するように構成され、
前記送信ユニットは、調整後の前記第１ルールに基づき、ＰＤＵセッションを確立するための第２要求メッセージを前記ネットワーク装置に送信するように構成されることを特徴とする
請求項１２に記載の端末装置。
【請求項１４】
前記端末装置は、更に、
コントロールプレーンを介してポリシー制御機能（ＰＣＦ）から少なくとも1つのルールを含むＵＲＳＰのセグメンテーションを受信するように構成される受信ユニットを備えることを特徴とする
請求項９〜１３のいずれか１項に記載の端末装置。
【請求項１５】
受信ユニットは、更に、
前記ＰＣＦが前記少なくとも1つのルールをグループ化した後、前記ＰＣＦからのメッセージを介して１組のルールを受信するように構成され、又は、
前記少なくとも1つのルールの優先度に従って前記少なくとも1つのルールを主導的に送信するＰＣＦから、少なくとも1つのルールを含むＵＲＳＰのセグメンテーションを受信するように構成されることを特徴とする
請求項１４に記載の端末装置。
【国際調査報告】
2021502731.tif 000020
2021502731.tif 000021
2021502731.tif 000022
2021502731.tif 000023
2021502731.tif 000024
2021502731.tif 000025